(57)【要約】【課題】使用環境における充放電量の推移を適正に模擬したパターンデータを生成する生成装置、生成方法及びコンピュータプログラムと、生成装置を備える予測システムとを提供する。【解決手段】パターン生成装置において、表示部は、蓄電装置を有する蓄電システムの充放電に関する選択及び入力の少なくとも一方を受け付けるための受付画面を表示する。操作部は、受付画面において、充放電に関する複数種類の動作からの選択を受け付ける。制御部は、操作部を通じて選択された動作に基づいて、蓄電装置の劣化の予測に用いられ、所定期間内における蓄電装置の充放電量の推移を示すパターンデータを生成する。【選択図】図１３
2020195264.tif 000002
【特許請求の範囲】
【請求項１】
蓄電装置を有する蓄電システムの充放電に関する選択及び入力の少なくとも一方を受け付けるための受付画面を表示する画面表示部と、
前記受付画面にて、前記充放電に関する複数種類の動作からの選択を受け付ける選択受付部と、
前記選択受付部を通じて選択された動作に基づいて、前記蓄電装置の劣化の予測に用いられ、所定期間内における前記蓄電装置の充放電量の推移を示すパターンデータを生成する生成部と
を備える生成装置。
【請求項２】
前記複数種類の動作には、充電のみが行われる動作、放電のみが行われる動作、及び充電と放電が１回ずつ連続的に行われる動作の少なくとも２つが含まれる
請求項１に記載の生成装置。
【請求項３】
前記選択受付部を通じて選択された動作について、前記受付画面にて充電量及び放電量の両方又は一方の入力を受け付ける電力受付部を備える
請求項１又は請求項２に記載の生成装置。
【請求項４】
前記蓄電システムは電力線を有し、
前記受付画面にて前記電力線の伝送効率の入力を受け付ける効率受付部を備える
請求項１から請求項３のいずれか１つに記載の生成装置。
【請求項５】
前記蓄電システムは、外部から入力された電圧を、前記蓄電装置の充電に適した直流電圧に変換するとともに、前記蓄電装置から入力された直流電圧を、外部への出力に適した電圧に変換する変換器を有し、
前記受付画面にて前記変換器の変換効率の入力を受け付ける第２の効率受付部を備える
請求項１から請求項４のいずれか１つに記載の生成装置。
【請求項６】
前記蓄電システムは、外部から入力された交流電圧の振幅を変換し、振幅が変換された交流電圧を前記変換器に出力するトランスを有し、
前記受付画面にて前記トランスの変換効率の入力を受け付ける第３の効率受付部を備える
請求項５に記載の生成装置。
【請求項７】
前記選択受付部を通じて選択された動作について、前記受付画面にて充電又は放電が行われる期間の入力を受け付ける期間受付部を備える
請求項１から請求項６のいずれか１つに記載の生成装置。
【請求項８】
前記期間受付部を通じて入力された期間の合計が前記所定期間未満である場合、前記受付画面にて、前記所定期間の残りの期間に実行される動作に関する複数種類の第２の動作からの１つの動作の選択を受け付ける第２の選択受付部を備える
請求項７に記載の生成装置。
【請求項９】
前記画面表示部は、前記受付画面にて、前記複数種類の動作を表示する
請求項１から請求項８のいずれか１つに記載の生成装置。
【請求項１０】
前記生成部が生成したパターンデータが示す前記充放電量の推移を表示する推移表示部を備える
請求項１から請求項９のいずれか１つに記載の生成装置。
【請求項１１】
請求項１から請求項１０のいずれか１つに記載の生成装置と、
前記蓄電装置の構成内容を受け付ける構成受付部と、
前記生成装置が生成したパターンデータ、及び、前記構成受付部が受け付けた構成内容に基づいて、前記蓄電装置の劣化を予測する予測部と
を備える予測システム。
【請求項１２】
前記予測部は、前記蓄電装置の劣化の予測として、前記蓄電装置の容量が所定値に低下するまでの期間を予測する
請求項１１に記載の予測システム。
【請求項１３】
蓄電装置を有する蓄電システムの充放電に関する選択及び入力の少なくとも一方を受け付けるための受付画面を表示し、
前記受付画面にて、前記充放電に関する複数種類の動作から選択された動作を示す動作データを取得し、
取得した動作データに基づいて、前記蓄電装置の劣化の予測に用いられ、所定期間内における前記蓄電装置の充放電量の推移を示すパターンデータを生成する
生成方法。
【請求項１４】
コンピュータに、
蓄電装置を有する蓄電システムの充放電に関する選択及び入力の少なくとも一方を受け付けるための受付画面を表示させ、
前記受付画面にて、前記充放電に関する複数種類の動作から選択された動作を示す動作データを取得し、
取得した動作データに基づいて、前記蓄電装置の劣化の予測に用いられ、所定期間内における前記蓄電装置の充放電量の推移を示すパターンデータを生成する
処理を実行させるためのコンピュータプログラム。
【発明の詳細な説明】
【技術分野】
【０００１】
本発明は、生成装置、予測システム、生成方法及びコンピュータプログラムに関する。
【背景技術】
【０００２】
太陽電池又は風力発電機等の発電機によって充電され、必要に応じて放電する蓄電装置を備える蓄電システムが普及している。蓄電装置は複数の蓄電素子（蓄電セル）を有する。蓄電装置の容量（満充電容量）は、蓄電装置で行われる充放電の繰り返し（充放電サイクル）、並びに、時間の経過とともに低下する。蓄電装置の容量が劣化する速度は、ＳＯＣ（State Of Charge）、即ち、蓄電装置に蓄えられている電力の電力量に応じて変化する。
【０００３】
特許文献１は、充放電の繰り返し及び時間の経過とともに低下する蓄電装置の容量を予測する技術を開示している。特許文献１に記載の構成では、蓄電装置の充放電量を逐次取得し、取得した充放電量に基づいて、ＳＯＣの変化量を算出する。ＳＯＣの推移に基づいて蓄電装置の容量の低下を予測する。
【先行技術文献】
【特許文献】
【０００４】
【特許文献１】特開２０１８−１６９３９３号公報
【発明の概要】
【発明が解決しようとする課題】
【０００５】
蓄電装置の製造業者は、蓄電装置の発注を予定している顧客の要求に基づいて、最適と思われる蓄電装置（蓄電システム）を顧客に提案する。製造業者は以下のことを行う。
（１）製造業者は、蓄電セルの直列数又は並列数等の蓄電装置の構成内容を決定する。
（２）製造業者は、想定される使用環境で、決定した構成内容を有する蓄電装置が顧客の要求を満足させることができる期間（寿命）についてシミュレーション（予測）を行う。
製造業者は、この試行錯誤を繰り返し、最適と思われる蓄電装置を顧客に提案する。シミュレーションを行うためには、使用環境における充放電量の推移を適正に模擬した充放電量の推移を示す充放電パターンデータ（以下、単に「パターンデータ」という）が必要である。従来、製造業者は、顧客から提示される大まかな情報、又は発注が予定されている蓄電システムに類似する蓄電システムにおける運用情報に基づき、１日又は１カ月等の所定期間内における蓄電装置の充放電量の推移を示すパターンデータを作成する。
【０００６】
精度が高いシミュレーションを行って顧客に最適な蓄電装置を提案するためには、パターンデータが示す充放電量の推移が、蓄電システムが実際に運用される時の使用環境における充放電量の推移を適正に模擬している必要がある。パターンデータは、蓄電装置の構成内容の決定、及び寿命の予測に用いられる重要なデータである。
【０００７】
実際の使用環境における充放電と比較して蓄電装置を過剰に充放電させるように設定されたパターンデータに基づいてシミュレーションを行った場合、顧客の要求を満たす最適な蓄電装置と比較して、構成が過剰で、価格が高い蓄電装置を提案することとなる。実際の使用環境における充放電と比較して、蓄電装置を過小に充放電させるように設定されたパターンデータに基づいてシミュレーションを行った場合、顧客の要求を満たす最適な蓄電装置と比較して、構成が過小で、価格が低い蓄電装置を提案することになる。蓄電装置の構成が過剰で、価格が高い場合、製造業者が事業機会を逸する（失注する）可能性が高い。蓄電装置の構成が過小で、価格が低い場合、蓄電装置を備える蓄電システムを納入した後、シミュレーションの予想よりも早い段階で顧客の要求を満たせなくなる可能性が高い。
【０００８】
以上のことから、製造業者は、顧客とともに、使用環境における充放電量の推移を適正に模擬した充放電量の推移を示すパターンデータを生成することが必要である。
【０００９】
本発明は、充放電量の推移を示すパターンデータを生成する生成装置、生成方法及びコンピュータプログラムと、生成装置を備える予測システムとを提供することを目的とする。
【課題を解決するための手段】
【００１０】
生成装置は、蓄電装置を有する蓄電システムの充放電に関する選択及び入力の少なくとも一方を受け付けるための受付画面を表示する画面表示部と、前記受付画面にて、前記充放電に関する複数種類の動作からの選択を受け付ける選択受付部と、前記選択受付部を通じて選択された動作に基づいて、前記蓄電装置の劣化の予測に用いられ、所定期間内における前記蓄電装置の充放電量の推移を示すパターンデータを生成する生成部とを備える。
【００１１】
予測システムは、前述した生成装置と、前記蓄電装置の構成内容を受け付ける構成受付部と、前記生成装置が生成したパターンデータ、及び、前記構成受付部が受け付けた構成内容に基づいて、前記蓄電装置の劣化を予測する予測部とを備える。
【００１２】
生成方法では、蓄電装置を有する蓄電システムの充放電に関する選択及び入力の少なくとも一方を受け付けるための受付画面を表示し、前記受付画面にて、前記充放電に関する複数種類の動作から選択された動作を示す動作データを取得し、取得した動作データに基づいて、前記蓄電装置の劣化の予測に用いられ、所定期間内における前記蓄電装置の充放電量の推移を示すパターンデータを生成する。
【００１３】
コンピュータプログラムは、コンピュータに、蓄電装置を有する蓄電システムの充放電に関する選択及び入力の少なくとも一方を受け付けるための受付画面を表示させ、前記受付画面にて、前記充放電に関する複数種類の動作から選択された動作を示す動作データを取得し、取得した動作データに基づいて、前記蓄電装置の劣化の予測に用いられ、所定期間内における前記蓄電装置の充放電量の推移を示すパターンデータを生成する処理を実行させる。
【発明の効果】
【００１４】
上記の態様によれば、使用環境における充放電量の推移を適正に模擬した充放電量の推移を示すパターンデータを生成することができる。
【図面の簡単な説明】
【００１５】
【図１】本実施の形態における蓄電装置の構成を示すブロック図である。
【図２】寿命予測装置の構成を示すブロック図である。
【図３】寿命予測処理の手順を示すフローチャートである。
【図４】構成内容の受付画面の概略図である。
【図５】充放電量の推移を示すグラフである。
【図６】パターンデータの内容を示す図表である。
【図７】蓄電システムの第１モデルの説明図である。
【図８】蓄電システムの第２モデルの説明図である。
【図９】蓄電システムの第３モデルの説明図である。
【図１０】パターン生成装置の構成を示すブロック図である。
【図１１】パターン生成処理の手順を示すフローチャートである。
【図１２】充放電の受付画面の概略図である。
【図１３】複数種類の動作の表示の説明図である。
【図１４】パターン生成装置及び寿命予測装置の使用例の説明図である。
【図１５】パターン生成装置の効果の説明図である。
【発明を実施するための形態】
【００１６】
生成装置は、蓄電装置を有する蓄電システムの充放電に関する選択及び入力の少なくとも一方を受け付けるための受付画面を表示する画面表示部と、前記受付画面にて、前記充放電に関する複数種類の動作からの選択を受け付ける選択受付部と、前記選択受付部を通じて選択された動作に基づいて、前記蓄電装置の劣化の予測に用いられ、所定期間内における前記蓄電装置の充放電量の推移を示すパターンデータを生成する生成部とを備える。
【００１７】
受付画面において複数種類の動作から動作を選択することによって、パターンデータが生成されるので、パターンデータの生成が容易であり、パターンデータを短時間で生成することができる。蓄電装置（蓄電システム）の製造業者は、パターンデータが示す充放電量の推移を迅速に顧客に提示することができる。顧客が充放電量の推移を確認したところ、パターンデータが示す充放電量の推移が使用環境における充放電量の推移を適正に模擬していない場合、製造業者は、受付画面において選択及び／又は入力する内容を変更し、パターンデータを再度生成する。製造業者は、生成したパターンデータが示す充放電量の推移を再び顧客に提示する。パターンデータを短時間で生成することができるので、この一連の行為を短時間で繰り返すことができる。結果、製造業者は、顧客との商談の場で、使用環境における充放電量の推移を適正に模擬した充放電量の推移を示すパターンデータを生成して、パターンデータについて顧客と合意することができる。顧客と合意したパターンデータは、蓄電装置の劣化の予測（例えば、蓄電装置の容量が所定値に低下するまでの期間、即ち、寿命の予測）に用いられる。
【００１８】
前記複数種類の動作には、充電のみが行われる動作、放電のみが行われる動作、及び充電と放電が１回ずつ連続的に行われる動作の少なくとも２つが含まれてもよい。
これらの基本的な動作が選択可能であるので、必要に応じて、基本的な動作の中の２つ以上の動作を組み合わせることによって、種々のパターンデータを短時間で生成することができる。
【００１９】
生成装置は、前記選択受付部を通じて選択された動作について、前記受付画面にて充電量及び放電量の両方又は一方の入力を受け付ける電力受付部を備えてもよい。前記生成部が前記パターンデータの生成にて用いる要素に、前記電力受付部を通じて入力された入力内容が更に含まれてもよい。
使用者は、選択した動作が、例えば、充電及び放電の両方を行う動作であるとき、充電量及び放電量の両方を入力する。使用者は、選択した動作が、例えば、充電のみを行う動作である場合、充電量を入力する。パターンデータの生成において、充電量及び放電量の両方又は一方の入力内容も用いられる。このため、使用環境における充放電量の推移をより適正に模擬した充放電量の推移を示すパターンデータが生成される。
【００２０】
前記蓄電システムは電力線を有する。生成装置は、前記受付画面にて前記電力線の伝送効率の入力を受け付ける効率受付部を備えてもよい。前記生成部が前記パターンデータの生成にて用いる要素に、前記効率受付部を通じて入力された伝送効率が更に含まれてもよい。
パターンデータの生成において、電力線の伝送効率も用いられるので、使用環境における充放電量の推移をより適正に模擬した充放電量の推移を示すパターンデータが生成される。
【００２１】
前記蓄電システムは、外部から入力された電圧を、前記蓄電装置の充電に適した直流電圧に変換するとともに、前記蓄電装置から入力された直流電圧を、外部への出力に適した電圧に変換する変換器を有してもよく、生成装置は、前記受付画面にて前記変換器の変換効率の入力を受け付ける第２の効率受付部を備えてもよい。前記生成部が前記パターンデータの生成にて用いる要素に、前記第２の効率受付部を通じて入力された変換効率が更に含まれてもよい。
パターンデータの生成において、変換器の変換効率も用いられる。このため、使用環境における充放電量の推移をより適正に模擬した充放電量の推移を示すパターンデータが生成される。
【００２２】
前記蓄電システムは、外部から入力された交流電圧の振幅を変換し、振幅が変換された交流電圧を前記変換器に出力するトランスを有してもよく、生成装置は、前記受付画面にて前記トランスの変換効率の入力を受け付ける第３の効率受付部を備えてもよい。前記生成部が前記パターンデータの生成にて用いる要素に、前記第３の効率受付部を通じて入力された変換効率が更に含まれてもよい。
パターンデータの生成において、トランスの変換効率も用いられるので、使用環境における充放電量の推移をより適正に模擬した充放電量の推移を示すパターンデータが生成される。
【００２３】
生成装置は、前記選択受付部を通じて選択された動作について、前記受付画面にて充電又は放電が行われる期間の入力を受け付ける期間受付部を備えてもよい。前記生成部が前記パターンデータの生成にて用いる要素に、前記期間受付部を通じて入力された入力内容が更に含まれてもよい。
パターンデータの生成において、充電又は放電が行われる期間が用いられるので、使用環境における充放電量の推移をより適正に模擬した充放電量の推移を示すパターンデータが生成される。
【００２４】
生成装置は、前記期間受付部を通じて入力された期間の合計が前記所定期間未満である場合、前記受付画面にて、前記所定期間の残りの期間に実行される動作に関する複数種類の第２の動作からの１つの動作の選択を受け付ける第２の選択受付部を備えてもよい。前記生成部が前記パターンデータの生成にて用いる要素に、前記第２の選択受付部を通じて選択された動作が更に含まれてもよい。前記複数種類の第２の動作それぞれは、前記複数種類の動作とは異なってもよい。
使用者は、設定期間の残りの期間に実行させる動作についても、複数種類の第２の動作から選択すればよい。このため、パターンデータの生成が更に容易である。
【００２５】
前記画面表示部は、前記受付画面にて、前記複数種類の動作を表示してもよい。
複数種類の動作が表示されるので、使用者は、パターンデータの生成において、選択することが可能な動作を容易に把握することができる。
【００２６】
生成装置は、前記生成部が生成したパターンデータが示す前記充放電量の推移を表示する推移表示部を備えてもよい。
パターンデータが示す充放電量の推移が表示されるので、使用者は、充放電量の推移を直感的に把握することができる。
【００２７】
予測システムは、前述した生成装置と、前記蓄電装置の構成内容を受け付ける構成受付部と、前記生成装置が生成したパターンデータ、及び、前記構成受付部が受け付けた構成内容に基づいて、前記蓄電装置の劣化を予測する予測部とを備える。
【００２８】
前記予測部は、前記蓄電装置の劣化の予測として、前記蓄電装置の容量が所定値に低下するまでの期間を予測してもよい。
【００２９】
生成方法では、蓄電装置を有する蓄電システムの充放電に関する選択及び入力の少なくとも一方を受け付けるための受付画面を表示し、前記受付画面にて、前記充放電に関する複数種類の動作から選択された動作を示す動作データを取得し、取得した動作データに基づいて、前記蓄電装置の劣化の予測に用いられ、所定期間内における前記蓄電装置の充放電量の推移を示すパターンデータを生成する。
使用者は、受付画面において複数種類の動作から動作を選択することによって、パターンデータを生成することができる。パターンデータの生成が容易であり、パターンデータを短時間で生成することができる。このため、前述したように、使用環境における充放電量の推移を適正に模擬した充放電量の推移を示すパターンデータを生成することができる。
【００３０】
コンピュータプログラムは、コンピュータに、蓄電装置を有する蓄電システムの充放電に関する選択及び入力の少なくとも一方を受け付けるための受付画面を表示させ、前記受付画面にて、前記充放電に関する複数種類の動作から選択された動作を示す動作データを取得し、取得した動作データに基づいて、前記蓄電装置の劣化の予測に用いられ、所定期間内における前記蓄電装置の充放電量の推移を示すパターンデータを生成する処理を実行させる。
【００３１】
以下、本発明をその実施の形態を示す図面に基づいて詳述する。
図１は、本実施の形態における蓄電装置１の構成を示すブロック図である。蓄電装置１は電力線Ｗの一端に接続されている。電力線Ｗを介して蓄電装置１に電力が供給される。これにより、蓄電装置１は充電される。蓄電装置１は、電力線Ｗを介して電力を放出する。
【００３２】
蓄電装置１は、並列に接続されたＫ（Ｋ：自然数）個のバンク１０を備える。各バンク１０の一端は、電力線Ｗの一端に接続されている。各バンク１０の他端は接地されている。各バンク１０は、直列に接続されたＭ（Ｍ：自然数）個の蓄電モジュール２０を有する。各蓄電モジュール２０は、直列に接続されたＮ（Ｎ：自然数）個の蓄電素子３０を有する。蓄電素子３０は所謂蓄電セルである。蓄電素子３０は、例えば、リチウムイオン電池である。
【００３３】
電力線Ｗを介して供給された電力は、各バンク１０が有する複数の蓄電素子３０に供給され、各蓄電素子３０は充電される。これにより、蓄電モジュール２０及びバンク１０は充電される。各蓄電素子３０は、電力線Ｗを介して電力を放出する。これにより、蓄電モジュール２０及びバンク１０は、電力線Ｗを介して電力を放出する。
【００３４】
各バンク１０は、複数の蓄電モジュール２０に加えて充放電回路２１も有する。充放電回路２１を介して各蓄電素子３０に電力が供給される。各蓄電素子３０は、充放電回路２１を介して電力を放出する。
【００３５】
充放電回路２１は、例えば、スイッチ又はブレーカを有する。充放電回路２１は、スイッチ又はブレーカを、オン又はオフに切替えることによって、複数の蓄電モジュール２０への充電の停止、複数の蓄電モジュール２０からの放電の停止、充電停止の解除及び放電停止の解除を行う。
【００３６】
図２は寿命予測装置４の構成を示すブロック図である。寿命予測装置４は、パーソナルコンピュータ又はタブレット等であり、蓄電装置１の劣化の予測として、蓄電装置１の寿命、即ち、蓄電装置１について使用を開始してから容量（満充電容量）が所定値に低下するまでの期間を予測する装置である。蓄電装置１の容量について、劣化の度合いを示す指標としてＳＯＨ(State Of Health)がある。ＳＯＨは、使用を開始した時点の蓄電装置１の容量を１００％とした場合における蓄電装置１の容量の比率である。ＳＯＨの単位はパーセントである。寿命は、例えば、ＳＯＨが７０％に低下するまでの期間である。
【００３７】
寿命予測装置４は、表示部４０、操作部４１、記憶部４２及び制御部４３を有する。これらは内部バス４４に接続されている。表示部４０は、制御部４３の指示に従って、種々の画面を表示する。操作部４１は、タッチパネル、キーボード又はマウス等を有する。操作部４１は、寿命予測装置４の使用者によって操作され、使用者から種々の入力を受け付ける。
【００３８】
記憶部４２は不揮発性メモリである。記憶部４２には、コンピュータプログラムＰ１が記憶されている。制御部４３は、処理素子、例えばＣＰＵ(Central Processing Unit)を有する。制御部４３の処理素子（コンピュータ）は、コンピュータプログラムＰ１を実行することによって、蓄電装置１の寿命を予測する寿命予測処理を実行する。制御部４３が有する処理素子の数は２以上であってもよい。この場合、複数の処理素子がコンピュータプログラムＰ１に従って、寿命予測処理を含む種々の処理を協同で実行してもよい。
【００３９】
コンピュータプログラムＰ１は、コンピュータプログラムＰ１を読み取り可能に記録した非一時的な記録媒体Ａ１を用いて、寿命予測装置４に提供されてもよい。記録媒体Ａ１は、例えば可搬型メモリである。可搬型メモリの例として、ＣＤ−ＲＯＭ、ＵＳＢ（Universal Serial Bus）メモリ、ＳＤカード、マイクロＳＤカード又はコンパクトフラッシュ（登録商標）等が挙げられる。記録媒体Ａ１が可搬型メモリである場合、制御部４３の処理素子は、図示しない読取装置を用いて記録媒体Ａ１からコンピュータプログラムＰ１を読み取り、読み取ったコンピュータプログラムＰ１を記憶部４２に書き込んでもよい。更に、寿命予測装置４が外部装置と通信する図示しない通信部を備える場合、コンピュータプログラムＰ１は、通信部を介した通信によって、寿命予測装置４に提供されてもよい。この場合、制御部４３の処理素子は、通信部を通じてコンピュータプログラムＰ１を取得し、取得したコンピュータプログラムＰ１を記憶部４２に書き込んでもよい。
【００４０】
記憶部４２には、予め設定されている設定期間内における蓄電装置１の充放電量の推移を示す充放電パターンデータ（以下、単に「パターンデータ」という）を含むパターンファイルＦが記憶されている。設定期間は、１日、１週間、１カ月又は１年等である。後述するように、蓄電装置１のパターンファイルＦはパターン生成装置５によって生成される。寿命予測装置４の制御部４３は、パターン生成装置５からパターンファイルＦを取得し、取得したパターンファイルＦを記憶部４２に書き込む。寿命予測装置４及びパターン生成装置５を含むシステムは予測システムに相当する。
【００４１】
制御部４３は、種々の方法でパターンファイルＦを取得する。寿命予測装置４は、パターン生成装置５が送信したパターンファイルＦを有線又は無線で受信する通信部を有してもよい。制御部４３がパターンファイルＦを取得する方法の一例として、通信部が受信したパターンファイルＦを取得する方法が挙げられる。寿命予測装置４は、可搬型メモリからデータを読み取る読み取り部を有してもよい。制御部４３がパターンファイルＦを取得する方法の他の例として、可搬型メモリから、パターン生成装置５が生成したパターンファイルＦを取得する方法が挙げられる。
【００４２】
図３は寿命予測処理の手順を示すフローチャートである。寿命予測装置４の使用者は、操作部４１を操作することによって、寿命予測処理の実行を指示する。操作部４１は、寿命予測処理の実行指示を受け付ける。制御部４３は、操作部４１が寿命予測処理の実行指示を受け付けた場合において、記憶部４２にパターンファイルＦが記憶されているとき、寿命予測処理を実行する。寿命予測処理において、まず、制御部４３は、表示部４０に指示して、蓄電装置１の構成内容を受け付けるための受付画面を表示させる（ステップＳ１）。
【００４３】
図４は構成内容の受付画面の概略図である。図４に示すように、蓄電装置１の構成内容は、バンク１０の数、各バンク１０が有する蓄電モジュール２０の数、各蓄電モジュール２０が有する蓄電素子３０の数、及び、各蓄電素子３０の容量等を含む。バンク１０の数は並列数に相当する。蓄電モジュール２０の数、及び蓄電素子３０の数それぞれは直列数に相当する。寿命予測装置４の使用者は、構成内容の受付画面において、操作部４１を操作することによって、蓄電装置１の構成内容、具体的には、バンク１０の数、蓄電モジュール２０の数、蓄電素子３０の数、及び、各蓄電素子３０の容量等を入力する。操作部４１は、使用者が操作部４１を操作することによって入力した蓄電装置１の構成内容を受け付ける。操作部４１は構成受付部として機能する。使用者は、構成内容の受付画面において、操作部４１を操作することによって、「ＯＫ」が示されたボタンをクリックする。これにより、構成内容の受け付けが完了する。構成内容の受け付けが完了した場合、制御部４３は、操作部４１が受け付けた構成内容を示す構成データを取得する。
【００４４】
構成内容の項目中の少なくとも１つは、数値を入力する項目の代わりに、複数の数値から１つの数値を選択する項目であってもよい。この場合、操作部４１は、使用者が操作部４１を操作することによって入力した蓄電装置１の構成内容を受け付けるとともに、使用者が操作部４１を操作することによって選択した蓄電装置１の構成内容を受け付ける。構成内容の受け付けが完了した場合、制御部４３は、操作部４１が受け付けた構成内容を示す構成データを取得する。構成内容の選択又は入力を受け付ける項目の数は、１以上であればよいので、４に限定されない。構成内容の選択又は入力を受け付ける項目として、例えば、蓄電素子の種類が含まれてもよい。蓄電素子の種類として、例えば、リチウムイオン電池が挙げられる。
【００４５】
制御部４３は、ステップＳ１を実行した後、構成内容の受け付けが完了したか否かを判定する（ステップＳ２）。制御部４３は、構成内容の受け付けが完了していないと判定した場合（Ｓ２：ＮＯ）、ステップＳ２を再び実行し、構成内容の受け付けが完了するまで待機する。制御部４３は、構成内容の受け付けが完了したと判定した場合（Ｓ２：ＹＥＳ）、記憶部４２からパターンファイルＦを読み出す（ステップＳ３）。前述したように、パターンファイルＦには、設定期間内における蓄電装置１の充放電量の推移を示すパターンデータが含まれている。
【００４６】
図５は充放電量の推移を示すグラフである。図５において、横軸には時間が示されており、時間の単位は秒である。縦軸には、充放電量が示されており、充放電量の単位はワットである。充放電量が正である場合、充電が行われていることを示す。充電量は、蓄電装置１に供給される電力であり、充放電量の絶対値で表される。充放電量が負である場合、放電が行われていることを示す。放電量は、蓄電装置１から放出される電力であり、充放電量の絶対値である。設定期間内において、充放電量は、図５に示すように推移するとして、蓄電装置１の寿命が予測される。
【００４７】
図６はパターンデータの内容を示す図表である。図６に示すように、パターンデータでは、所定時間、例えば、１秒の間隔で刻まれた複数の時点それぞれにおける充放電量が示されている。設定期間が１日（８６４００秒）である場合、１秒から８６４００秒までの期間に対応する充放電量が示される。
【００４８】
次に、制御部４３は、図３に示すように、ステップＳ３で読み出したパターンファイルＦに含まれるパターンデータに基づいて、蓄電装置１のＳＯＣの推移を示すＳＯＣデータを生成する（ステップＳ４）。
【００４９】
制御部４３は、設定期間内における蓄電装置１の充放電量の推移を示すパターンデータに基づいて、充放電量の推移を予測する。例えば、設定期間が１日である場合、制御部４３は、パターンデータに基づいて、毎日の充放電量の推移を予測する。
【００５０】
制御部４３は、予測した充放電量の推移に基づいて、例えば、蓄電装置１の使用を開始してから算出時点までの期間における充電量及び放電量の総量を算出する。制御部４３は、充電量の総量から放電量の総量を減算することによって算出時点におけるＳＯＣを算出する。制御部４３は、算出時点を、所定時間、例えば、１秒の間隔で刻まれた複数の時点それぞれに変更することによって、各時点におけるＳＯＣを算出し、ＳＯＣの推移を示すＳＯＣデータを生成する。
【００５１】
次に、制御部４３は、ステップＳ４で生成したＳＯＣデータと、操作部４１が受け付けた構成内容に基づいて、蓄電装置１の劣化の予測として、蓄電装置１の寿命を予測する（ステップＳ５）。前述したように、寿命は、使用を開始してから、蓄電装置１の容量が所定値に低下するまでの期間であり、例えば、ＳＯＨが７０％に低下するまでの期間である。寿命の予測は劣化の予測の一例である。制御部４３は予測部として機能する。
【００５２】
ＳＯＣデータに基づく蓄電装置１の寿命の予測については、公知の技術、例えば、特開２０１８−１６９３９３号公報に記載されている技術を用いて実現することが可能である。特開２０１８−１６９３９３号公報では、ＳＯＣデータに基づいて、蓄電素子の劣化（蓄電素子の容量の低下）を推定する構成が開示されている。特開２０１８−１６９３８３号公報に記載されている技術を用いて、所定間隔、例えば１秒の間隔で刻まれた複数の時点それぞれにおけるＳＯＨを算出し、寿命、例えば、ＳＯＨが７０％に低下する期間を予測する。
次に、制御部４３は、表示部４０に指示して、ステップＳ５で予測した寿命を表示させ（ステップＳ６）、寿命予測処理を終了する。
【００５３】
寿命予測装置４の使用者は、寿命予測処理を繰り返し実行し、蓄電装置１の構成内容として種々の構成内容を選択又は入力する。これにより、使用者は、蓄電装置１の発注を予定している顧客の要求を満たす最適な蓄電装置１の構成内容を探る。寿命予測装置４の使用者、例えば、蓄電装置１の製造業者は、構成内容が最適である蓄電装置１を顧客に提案する。
【００５４】
次に、パターン生成装置５が行うパターンファイルＦの生成を説明する。パターンファイルＦを生成する場合において、蓄電装置１を有する蓄電システムのモデルとして、以下に示す第１モデル、第２モデル及び第３モデルが想定されている。
【００５５】
図７は蓄電システム６の第１モデルの説明図である。第１モデルでは、蓄電システム６は、発電機７及び電力系統間の接続ノードに接続されている。発電機７は、例えば、風力発電機であり、交流電力を発生させる。発電機７は、発生させた交流電力を蓄電システム６及び電力系統に供給する。電力系統は、例えば、工場又は家庭等の建物に接続されている。電力系統を介して建物に交流電力が供給される。発電機７が交流電力を蓄電システム６に供給することによって、蓄電システム６が充電される。蓄電システム６は、例えば、発電機７が発電を停止した場合、交流電力を電力系統に放出する。
【００５６】
蓄電システム６は、蓄電装置１に加えて、トランス６０、パワーコンディショナ６１及び２つの電力線Ｗ，Ｗも有する。トランス６０は、発電機７及び電力系統間の接続ノードに接続されている。トランス６０は、電力線Ｗを介してパワーコンディショナ６１にも接続されている。パワーコンディショナ６１は、電力線Ｗを介して蓄電装置１にも接続されている。
【００５７】
トランス６０は、発電機７が発生した交流電力に係る交流電圧の振幅を変換し、振幅が変換された交流電圧を、電力線Ｗを介してパワーコンディショナ６１に出力する。パワーコンディショナ６１は、トランス６０から入力された交流電圧を、蓄電装置１の充電に適した直流電圧に変換し、変換した直流電圧に係る直流電力を、電力線Ｗを介して蓄電装置１に供給する。これにより、蓄電装置１が充電される。
【００５８】
蓄電装置１は、例えば、発電機７が発電を停止した場合、直流電力を、電力線Ｗを介してパワーコンディショナ６１に供給する。パワーコンディショナ６１は、蓄電装置１から入力された直流電圧を、トランス６０への出力に適した交流電圧に変換し、変換した交流電圧を、電力線Ｗを介してトランス６０に出力する。トランス６０は、パワーコンディショナ６１から入力された交流電圧の振幅を変換し、振幅が変換された交流電圧に係る交流電力を電力系統に供給する。蓄電システム６では、電力線Ｗを介して電力が伝送される。パワーコンディショナ６１は変換器として機能する。
【００５９】
図７に示すように、蓄電装置１及び蓄電システム６それぞれへの充電量をＰｓ１及びＰｃ１と記載する。蓄電装置１及び蓄電システム６それぞれからの放電量をＰｓ２及びＰｃ２と記載する。前述したように、充電量は、蓄電装置１又は蓄電システム６に供給される電力である。放電量は、蓄電装置１又は蓄電システム６から放出される電力である。トランス６０及びパワーコンディショナ６１それぞれの変換効率をＥｔ及びＥｗと記載する。２つの電力線Ｗ，Ｗ全体の伝送効率をＥｗと記載する。変換効率Ｅｔ，Ｅｃ及び伝送効率Ｅｗそれぞれは、ゼロを超えており、かつ、１以下である値で表される。
【００６０】
蓄電装置１への充電量Ｐｃ１は下記の（１）式で表される。蓄電装置１からの放電量Ｐｃ２は下記の（２）式で表される。「・」は積を表す。
Ｐｃ１＝Ｐｓ１・Ｅｔ・Ｅｃ・Ｅｗ    （１）
Ｐｃ２＝Ｐｓ２／（Ｅｔ・Ｅｃ・Ｅｗ）    （２）
【００６１】
蓄電装置１の製造業者は、蓄電システム６の充放電量の推移、トランス６０及びパワーコンディショナ６１の変換効率、並びに、電力線Ｗの伝送効率を、例えば顧客から提示してもらう。製造業者は、充放電量の推移、変換効率及び伝送効率と、（１）式及び（２）式とを用いて、設定期間内における蓄電装置１の充放電量の推移を示すパターンデータを作成する。
蓄電システム６の充放電量は、蓄電装置１の充放電量と同様に定義される。充放電量が正である場合、蓄電システム６への充電が行われていることを示す。充電量は、蓄電システム６に供給される電力であり、充放電量の絶対値で表される。充放電量が負である場合、放電が行われていることを示す。放電量は、蓄電システム６から放出される電力であり、充放電量の絶対値である。
【００６２】
図８は蓄電システム６の第２モデルの説明図である。第２モデルでは、蓄電システム６は、発電機７及び電力系統間の接続ノードに接続されている。蓄電システム６は、蓄電装置１、パワーコンディショナ６１及び電力線Ｗを有する。パワーコンディショナ６１は、発電機７及び電力系統間の接続ノードに接続されている。パワーコンディショナ６１は、電力線Ｗを介して蓄電装置１にも接続されている。第２モデルにおいて、蓄電システム６及び発電機７は第１モデルと同様に作用する。
【００６３】
蓄電システム６において、蓄電装置１は第１モデルと同様に作用する。パワーコンディショナ６１は、発電機７から入力された交流電圧を、蓄電装置１の充電に適した直流電圧に変換し、変換した直流電圧に係る直流電力を、電力線Ｗを介して蓄電装置１に供給する。パワーコンディショナ６１は、蓄電装置１から入力された直流電圧を、電力系統への出力に適した交流電圧に変換し、変換し交流電圧に係る交流電力を電力系統に供給する。
【００６４】
蓄電装置１への充電量Ｐｃ１は下記の（３）式で表される。蓄電装置１からの放電量Ｐｃ２は下記の（４）式で表される。
Ｐｃ１＝Ｐｓ１・Ｅｃ・Ｅｗ    （３）
Ｐｃ２＝Ｐｓ２／（Ｅｃ・Ｅｗ）    （４）
（３）式は、（１）式において、トランス６０の変換効率Ｅｔに１を代入することによって得られる式である。（４）式は、（２）式において、トランス６０の変換効率Ｅｔに１を代入することによって得られる式である。
【００６５】
蓄電装置１の製造業者は、蓄電システム６の充放電量の推移、パワーコンディショナ６１の変換効率、及び、電力線Ｗの伝送効率を、例えば顧客から提示してもらう。製造業者は、充放電量の推移、変換効率及び伝送効率と、（３）式及び（４）式とを用いて、設定期間内における蓄電装置１の充放電量の推移を示すパターンデータを作成する。
【００６６】
図９は蓄電システム６の第３モデルの説明図である。第３モデルでは、蓄電システム６は、第２モデルと同様に、蓄電装置１、パワーコンディショナ６１及び電力線Ｗを有する。パワーコンディショナ６１は、発電機７及び電力系統に各別に接続されている。パワーコンディショナ６１は、電力線Ｗを介して蓄電装置１にも接続されている。
【００６７】
発電機７は、直流又は交流の電力を発生させ、発生させた直流又は交流の電力をパワーコンディショナ６１に供給する。パワーコンディショナ６１は、発電機７から供給された電力に係る電圧を、周波数及び振幅が電力系統に適合している交流電圧に変換し、変換した交流電圧に係る交流電力を電力系統に供給する。パワーコンディショナ６１は、発電機７から入力された電圧を、蓄電装置１の充電に適した直流電圧に変換し、変換した直流電圧に係る直流電力を蓄電装置１に供給する。
【００６８】
蓄電装置１は、第１モデル及び第２モデルと同様に作用する。パワーコンディショナ６１は、蓄電装置１から入力された直流電圧を、電力系統への出力に適した交流電圧に変換し、変換した交流電圧に係る交流電力を電力系統に供給する。
【００６９】
第２モデルと同様に、蓄電装置１への充電量Ｐｃ１は（３）式で表され、蓄電装置１からの放電量Ｐｃ２は（４）式で表される。前述したように、（３）式及び（４）式それぞれは、（１）式及び（２）式において、トランス６０の変換効率Ｅｔに１を代入することによって得られる。
【００７０】
第２モデルと同様に、蓄電装置１の製造業者は、蓄電システム６の充放電量の推移、パワーコンディショナ６１の変換効率、及び、電力線Ｗの伝送効率を、例えば顧客から提示してもらう。製造業者は、充放電量の推移、変換効率及び伝送効率と、（３）式及び（４）式とを用いて、設定期間内における蓄電装置１の充放電量の推移を示すパターンデータを作成する。
【００７１】
図１０はパターン生成装置５の構成を示すブロック図である。パターン生成装置５は、パーソナルコンピュータ又はタブレット等であり、前述したように、パターンデータを含むパターンファイルＦを生成する。パターン生成装置５は、表示部５０、操作部５１、記憶部５２及び制御部５３を有する。これらは内部バス５４に接続されている。
【００７２】
表示部５０は、制御部５３の指示に従って、種々の画面を表示する。操作部５１は、タッチパネル、キーボード又はマウス等を有する。操作部５１は、パターン生成装置５の使用者によって操作され、使用者から種々の入力を受け付ける。
【００７３】
記憶部５２は不揮発性メモリである。記憶部５２には、コンピュータプログラムＰ２が記憶されている。制御部５３は、処理素子、例えばＣＰＵを有する。制御部５３の処理素子（コンピュータ）は、コンピュータプログラムＰ２を実行することによって、パターンファイルＦを生成するパターン生成処理を実行する。制御部５３が有する処理素子の数は２以上であってもよい。この場合、複数の処理素子がコンピュータプログラムＰ２に従って、パターン生成処理を含む種々の処理を協同で実行してもよい。
【００７４】
コンピュータプログラムＰ２は、コンピュータプログラムＰ２を読み取り可能に記録した非一時的な記録媒体Ａ２を用いて、パターン生成装置５に提供されてもよい。記録媒体Ａ２は、例えば可搬型メモリである。この場合、制御部５３の処理素子は、図示しない読取装置を用いて記録媒体Ａ２からコンピュータプログラムＰ２を読み取り、読み取ったコンピュータプログラムＰ２を記憶部５２に書き込んでもよい。更に、パターン生成装置５が外部装置と通信する図示しない通信部を備える場合、コンピュータプログラムＰ２は、通信部を介した通信によって、パターン生成装置５に提供されてもよい。この場合、制御部５３の処理素子は、通信部を通じてコンピュータプログラムＰ２を取得し、取得したコンピュータプログラムＰ２を記憶部５２に書き込んでもよい。
【００７５】
図１１はパターン生成処理の手順を示すフローチャートである。パターン生成装置５の使用者は、操作部５１を操作することによって、パターン生成処理の実行を指示する。操作部５１は、パターン生成処理の実行指示を受け付ける。制御部５３は、操作部５１がパターン生成処理の実行指示を受け付けた場合、パターン生成処理を実行する。パターン生成処理において、まず、制御部５３は、表示部５０に指示して、蓄電システム６の充放電に関する選択及び入力を受け付けるための受付画面を表示させる（ステップＳ１１）。表示部５０は画面表示部として機能する。
【００７６】
図１２は、充放電の受付画面の概略図である。パターン生成装置５の使用者は、充放電の受付画面において、操作部４１を操作することによって、種々の選択及び入力を行う。図１２に示すように、まず、使用者は、設定期間を決定する。使用者が、設定期間の三角ボタンをクリックした場合、設定期間について、予め設定されている複数の候補期間が表示される。複数の候補期間は、例えば、１日、１週間、１カ月及び１年である。使用者は、複数の候補期間から１つを選択する。操作部４１は、充放電の受付画面において、設定期間の選択を受け付ける。図１２の例では、設定期間として１日が選択されている。
【００７７】
次に、使用者は、充放電の受付画面において、蓄電システム６の充放電に関する複数種類の動作から一又は複数種類の動作を選択する。複数種類の動作は予め設定されている。使用者は、充放電の受付画面において、動作を示す欄の三角ボタンをクリックする。これにより、表示部５０は、蓄電システム６の充放電に関する複数種類の動作を表示する。
【００７８】
図１３は、複数種類の動作の表示の説明図である。図１３に示すように、動作の三角ボタンをクリックすることによって、表示部５０は複数種類の動作を表示する。図１３の例では、３種類の動作が示されている。「充電→放電」は、蓄電システム６への充電を行った後に蓄電システム６が放電する動作である。「充電→放電」は、充電及び放電が１回ずつ連続的に行われる。「充電（一定）」は、充電量が一定である充電のみを行う動作である。「放電（一定）」は、放電量が一定である放電のみを行う動作である。
【００７９】
使用者は、表示されている複数種類の動作から１つの動作を選択する。操作部５１は、充放電の受付画面において、蓄電システム６の充放電に関する複数種類の動作からの選択を受け付ける。操作部５１は、選択受付部として機能する。
以上のように、複数種類の動作が図１３に示すように表示されるので、パターン生成装置５の使用者は、パターンデータの生成において、選択することが可能な動作を容易に把握することができる。
【００８０】
図１３では、三角ボタンをクリックすることによって表示される３種類の動作に、「充電→放電」、「充電（一定）」及び「放電（一定）」とは異なる動作が含まれてもよい。例えば、３種類の動作に、蓄電システム６が放電した後に蓄電システム６への充電を行う動作、充電量が一定の傾きで上昇若しくは低下する充電のみを行う動作、又は、放電量が一定の傾きで上昇若しくは低下する放電のみを行う動作が含まれてもよい。
三角ボタンをクリックすることによって表示される種類の数は、３の代わり、２又は４以上であってもよい。
【００８１】
操作部５１は、充放電の受付画面において、複数種類の動作を受け付けることが可能である。図１２及び図１３に示すように、使用者は、設定期間内に実行する動作として、複数種類の動作を選択することができる。例えば、使用者は、Ｎｏ．１の動作として「充電（一定）」を選択し、Ｎｏ．２の動作として「放電（一定）」を選択することができる。設定期間内では、Ｎｏ．１の動作から順次実行する。
【００８２】
次に、使用者は、操作部５１を操作することによって、選択した動作について、充放電の受付画面において、蓄電システム６の電力、即ち、充電量及び放電量の両方又は一方を入力する。操作部５１は、充放電の受付画面において、充電量及び放電量の両方又は一方の入力を受け付ける。図１２の例では、「充電→放電」が選択されているので、使用者は、蓄電システム６の電力として、入力欄の左側に充電量を入力し、入力欄の右側に放電量を入力する。図１３の例では、「充電（一定）」が選択されているので、使用者は、蓄電システム６の電力として、充電量を入力する。操作部５１は電力受付部としても機能する。
【００８３】
次に、使用者は、操作部５１を操作することによって、選択した動作について、充放電の受付画面において、充電又は放電が行われる期間を入力する。操作部５１は、充放電の受付画面において、充電又は放電が行われる期間の入力を受け付ける。図１２の例では、「充電→放電」が選択されているので、使用者は、入力欄の左側に、充電が行われる期間を入力し、入力欄の右側に、放電が行われる期間を入力する。図１３の例では、「充電（一定）」が選択されているので、使用者は、放電が行われる期間を入力する。操作部５１は、期間受付部としても機能する。
【００８４】
次に、使用者は、操作部５１を操作することによって、選択した動作の繰り返し回数を入力する。操作部５１は、繰り返し回数の入力を受け付ける。図１２の例では、「充電→放電」が選択され、繰り返し回数として８が入力されている。このため、充電を行った後に放電を行う動作が連続して８回実行される。選択した動作を繰り返さない場合、使用者は、繰り返し回数として１を入力すればよい。図１３の例では、「充電（一定）」が選択され、繰り返し回数として１が入力されている。このため、充電量が一定である充電が連続して繰り返されることはない。
以上のように、一覧表において、動作の選択、並びに、蓄電システム６の電力、期間及び繰り返し回数の入力が行われる。
【００８５】
図１２及び図１３に示すように、充放電の受付画面では、設定期間、動作が確定した確定期間、及び、動作が未確定である未確定期間が示されている。確定期間は、一覧表において、操作部５１を通じて入力された期間の合計である。未確定期間は、設定期間の残りの期間であり、設定期間から確定期間を減算することによって算出される。設定期間は、設定期間について選択された内容に従って更新される。確定期間及び未確定期間は、一覧表の選択及び入力の内容に従って更新される。
【００８６】
次に、使用者は、未確定期間が存在する場合、即ち、未確定期間がゼロを超えている場合、未確定期間の動作について、充放電の受付画面において、一覧表に示した一又は複数の動作を繰り返すか否かを選択する。使用者は、充放電の受付画面において、一覧表の動作の繰り返しに対応する三角ボタンをクリックする。これにより、選択の項目として有効及び無効が表示される。使用者は、有効及び無効から１つを選択する。操作部４１は、充放電の受付画面において、一覧表に示した一又は複数の動作を繰り返すか否かの選択を受け付ける。
【００８７】
未確定期間が存在する場合において、無効が選択されたとき、一覧表に示した一又は複数の動作は繰り返されず、使用者は、未確定期間の動作を決定する必要がある。未確定期間が存在する場合において、有効が選択されたとき、一覧表に示した一又は複数の動作は繰り返される。これにより、未確定期間の動作が確定する。
【００８８】
未確定期間が存在する場合において、無効が選択されているとき、使用者は、操作部５１を操作することによって、充放電の受付画面において、未確定期間の動作に関する複数種類の動作から１つの動作を選択する。複数種類の動作は予め設定されている。使用者は、充放電の受付画面において、未確定期間の動作に対応する三角ボタンをクリックする。これにより、複数種類の動作が表示される。使用者は、表示された複数の動作から１つの動作を選択する。操作部５１は、充放電の受付画面において、未確定期間の動作に関する複数種類の動作からの１つの動作の選択を受け付ける。複数種類の動作の例として、定電流定電圧充電及び充放電なし等が挙げられる。未確定期間の動作として選択することが可能な複数の動作それぞれは、一覧表の動作に関して選択される複数の動作とは異なる。操作部５１は第２の選択受付部としても機能する。
【００８９】
定電流定電圧充電は以下のように行われる充電である。蓄電装置１の端子電圧、即ち、電力線Ｗが接続される端子の電圧が低い場合に一定の電流を蓄電装置１に供給する。蓄電装置１の端子電圧が高い場合、一定の電圧を蓄電装置１の端子に印加する。これにより、蓄電装置１を充電する。
充放電なしは、蓄電装置１の充放電量がゼロであることを意味する。
【００９０】
次に、使用者は、蓄電システム６について、第１モデルから第３モデルの中で１つのモデルを選択する。使用者は、選択したモデルについて、パワーコンディショナ６１の変換効率、トランス６０の変換効率及び電力線Ｗの伝送効率を入力する。前述したように、これらは、ゼロを超えており、かつ、１以下である値である。操作部５１は、充放電の受付画面において、パワーコンディショナ６１の変換効率、トランス６０の変換効率及び電力線Ｗの伝送効率の入力を受け付ける。操作部５１を通じて入力された２つの変換効率及び伝送効率に基づいて、蓄電装置１に係る充電量Ｐｃ１及び放電量Ｐｃ２が算出される。操作部５１は、効率受付部、第２の効率受付部及び第３の効率受付部としても機能する。
【００９１】
使用者が第２モデル又は第３モデルを選択した場合、即ち、蓄電システム６にトランス６０が含まれていない場合、使用者は、操作部５１を操作することによって、トランス６０の変換効率として１を入力すればよい。これにより、（１）式及び（２）式において、変換効率Ｅｔに１が代入され、充電量Ｐｃ１及び放電量Ｐｃ２を算出する式が（３）式及び（４）式に変換される。
第１モデルを選択した場合において、使用者が操作部５１を通じて入力する電力線Ｗの伝送効率は、２つの電力線Ｗ，Ｗ全体の伝送効率である。
【００９２】
制御部５３は、充放電の受付画面において、操作部５１を通じて選択された内容、及び、操作部５１を通じて入力された内容の両方を示す充放電データを操作部５１から取得する。充放電データが示す内容には、充放電の受付画面の一覧表において、充放電に関する複数種類の動作から選択された動作が含まれ、充放電データは動作データに相当する。
【００９３】
使用者は、操作部５１を操作することによって、充放電の受付画面において、「パターンデータの生成」と記載されたボタンをクリックする。これにより、操作部５１は、パターンデータの生成指示を受け付ける。使用者は、操作部５１を操作することによって、充放電の受付画面において、「パターンファイルの生成」と記載されたボタンをクリックする。これにより、操作部５１は、パターンファイルＦの生成指示を受け付ける。使用者は、操作部５１を操作することによって、充放電の受付画面において、「リセット」と記載されたボタンをクリックする。これにより、操作部５１は、充放電の受付画面の内容のリセットを指示するリセット指示を受け付ける。
【００９４】
パターン生成装置５の使用者は、操作部５１を操作することによって、パターン生成処理の終了を指示する。操作部５１は、パターン生成処理の終了指示を受け付ける。使用者は、例えば、操作部５１を操作し、充放電の受付画面の右上のボタンをクリックすることによって、パターン生成処理の終了を指示する。
【００９５】
図１１に示すように、制御部５３は、ステップＳ１１を実行した後、操作部５１がパターンデータの生成指示を受け付けたか否かを判定する（ステップＳ１２）。制御部５３は、操作部５１がパターンデータの生成指示を受け付けたと判定した場合（Ｓ１２：ＹＥＳ）、操作部５１から取得した充放電データに基づいて、図６に示すようなパターンデータを生成する（ステップＳ１３）。前述したように、充放電データは、操作部５１を通じて、充放電の受付画面において選択及び入力された内容を示す。制御部５３は生成部として機能する。パターン生成装置５の制御部５３が生成したパターンデータを含むパターンファイルＦは、寿命予測装置４において蓄電装置１の寿命の予測に用いられる。
【００９６】
前述したように、蓄電システム６の電力は充電量又は放電量を示す。蓄電装置１の充放電量の絶対値は、蓄電システム６の電力、パワーコンディショナ６１の変換効率、トランス６０の変換効率及び電力線Ｗの伝送効率を（１）式又は（２）式に代入することによって算出される。充電量の算出には（１）式が用いられる。放電量の算出には（２）式が用いられる。
【００９７】
次に、制御部５３は、表示部５０に指示して、ステップＳ１３で生成したパターンデータに対応する充放電量の推移を示すグラフを表示させる（ステップＳ１４）。充放電量の推移を示すグラフの一例として、図５に示すグラフが挙げられる。
このように、表示部５０は、制御部５３が生成したパターンデータに対応する充放電量の推移を表示するので、パターン生成装置５の使用者は充放電量の推移を直感的に把握することができる。表示部５０は推移表示部としても機能する。
【００９８】
制御部５３は、操作部５１がパターンデータの生成指示を受け付けていないと判定した場合（Ｓ１２：ＮＯ）又はステップＳ１４を実行した後、操作部５１がパターンファイルＦの生成指示を受け付けたか否かを判定する（ステップＳ１５）。
パターンデータが生成されていない場合、操作部５１はパターンファイルＦの生成指示を受け付けることはない。
【００９９】
制御部５３は、操作部５１がパターンファイルＦの生成指示を受け付けたと判定した場合（Ｓ１５：ＹＥＳ）、ステップＳ１３で生成した直近のパターンデータを含むパターンファイルＦを生成する（ステップＳ１６）。次に、制御部５３は、ステップＳ１６で生成したパターンファイルＦを記憶部５２に書き込む（ステップＳ１７）。制御部５３は、操作部５１がパターンファイルＦの生成指示を受け付けていないと判定した場合（Ｓ１５：ＮＯ）、又は、ステップＳ１７を実行した後、操作部５１が充放電の受付画面の内容のリセット指示を受け付けるか否かを判定する（ステップＳ１８）。
【０１００】
制御部５３は、操作部５１がリセット指示を受け付けたと判定した場合（Ｓ１８：ＹＥＳ）、充放電の受付画面の内容をリセットする（ステップＳ１９）。これにより、例えば、充放電の受付画面において選択又は入力されている内容は以下のように変更される。設定期間、一覧表の動作の繰り返し及び未確定期間の動作は、予め設定されている初期内容に変更される。一覧表の入力内容はなくなる。パワーコンディショナ６１の変換効率、トランス６０の変換効率及び電力線Ｗの伝送効率は、予め設定されている初期値、例えば、１に変更される。
【０１０１】
制御部５３は、操作部５１がリセット指示を受け付けていないと判定した場合（Ｓ１８：ＮＯ）、又は、ステップＳ１９を実行した後、操作部５１がパターン生成処理の終了指示を受け付けたか否かを判定する（ステップＳ２０）。制御部５３は、操作部５１がパターン生成処理の終了指示を受け付けていないと判定した場合（Ｓ２０：ＮＯ）、ステップＳ１２を実行し、操作部５１が終了指示を受け付けるまで待機する。制御部５３は、操作部５１がパターン生成処理の終了指示を受け付けたと判定した場合（Ｓ２０：ＹＥＳ）、パターン生成処理を終了する。
【０１０２】
以上のように、パターン生成装置５において、製造業者は、蓄電システム６の充放電の受付画面において、複数種類の動作から動作を選択することによって、パターンデータが生成される。従って、パターンデータの生成が容易であり、パターンデータを短時間で生成することができる。
【０１０３】
パターン生成装置５の構成は、設定期間内に実行する動作、即ち、図１２及び図１３に示す一覧表において選択する動作として、充電のみが行われる動作、放電のみが行われる動作及び充電と放電が１回ずつ連続的に行われる動作の少なくとも２つを使用者が選択する構成であってもよい。この場合、これらの基本的な動作が選択可能であるので、必要に応じて、基本的な動作の中の２つ以上の動作を組み合わせることによって、種々のパターンデータを短時間で生成することができる。
【０１０４】
図１４は、パターン生成装置５及び寿命予測装置４の使用例の説明図である。パターン生成装置５は可搬型の装置であると仮定する。蓄電装置１の製造業者は、例えば、パターン生成装置５を持って顧客を訪問する。製造業者は、最初に、蓄電システム６の充放電に関する内容を顧客から聞き、図１２及び図１３に示す充放電の受付画面において蓄電システム６の充放電に関する選択及び入力を行う。製造業者は、パターン生成装置５に充放電量の推移のグラフを表示させ、このグラフを顧客に迅速に提示する。
【０１０５】
顧客がグラフを確認したところ、パターンデータが示す充放電量の推移が使用環境における充放電量の推移を適正に模擬していない場合、製造業者は、その場で、蓄電システム６の充放電の受付画面の内容を変更し、変更した内容が反映された充放電量の推移を示すパターンデータを生成する。製造業者は、生成したパターンデータが示す充放電量の推移のグラフを再び顧客に提示する。パターンデータを短時間で生成することができるので、この一連の行為を短時間で繰り返すことができる。
【０１０６】
図１５は、パターン生成装置５の効果の説明図である。図１５には、従来において作成される充放電量の推移が細い実線で示されている。使用環境における充放電量の推移が太い実線で示されている。２つの推移が重なる部分は太い実線で示されている。従来、製造業者は、顧客から、大まかな情報、又は発注が予定されている蓄電システムに類似する蓄電システムにおける運用情報を提示してもらった後、自社に戻り、大まかな情報又は運用情報に基づいて、設定期間内における蓄電装置の充放電量の推移を示すパターンデータを作成する。
【０１０７】
図１５の上側に示すように、製造業者は、実際の使用環境における充放電と比較して蓄電装置を過剰に充放電させるように設定されたパターンデータを作成する可能性がある。このパターンデータを含むパターンファイルＦに基づいて蓄電装置１の構成内容を決定した場合、顧客の要求を満たす最適な蓄電装置と比較して、構成が過剰で、価格が高い蓄電装置１を提案することとなる。この場合、製造業者が事業機会を逸する（失注する）可能性が高い。
【０１０８】
図１５の下側に示すように、製造業者は、実際の使用環境における充放電と比較して蓄電装置を過少に充放電させるように設定されたパターンデータを作成する可能性がある。このパターンデータを含むパターンファイルＦに基づいて蓄電装置１の構成内容を決定した場合、顧客の要求を満たす最適な蓄電装置と比較して、構成が過少で、価格が低い蓄電装置１を提案することとなる。この場合、蓄電装置１を備える蓄電システム６を納入した後、寿命予測に基づく予想よりも早い段階で顧客の要求を満たせなくなる可能性が高い。
【０１０９】
パターン生成装置５を用いる場合、製造業者は、前述したように、充放電の受付画面において蓄電システム６の充放電に関する選択及び入力から充放電量の推移の提示までの一連の行為を短時間が繰り返すことができる。結果、製造業者は、顧客との商談の場で、使用環境における充放電量の推移を適正に模擬した充放電量の推移、即ち、図１５において実線で示される充放電量の推移を示すパターンデータを含むパターンファイルＦを生成することができ、パターンデータについて顧客と合意することができる。
【０１１０】
図１４に示すように、製造業者は、パターン生成装置５を用いてパターンファイルＦを生成した後、自社に戻り、生成したパターンファイルＦに含まれるパターンデータに基づいて、例えば、寿命について顧客の要求を満たす蓄電装置１の種々の構成内容を考える。製造業者は、パターン生成装置５が生成したパターンファイルＦを、寿命予測装置４の記憶部４２に記憶させる。製造業者は、寿命予測装置４において、操作部４１を操作することによって、寿命予測処理の実行を指示する。製造業者は、生成したパターンファイルＦに含まれるパターンデータに基づいて、構成内容が異なる種々の蓄電装置１の寿命を寿命予測装置４に予測させる。これにより、製造業者は、寿命について顧客の要求を満たす蓄電装置１の構成内容を探ることができる。
最後に、製造業者は、顧客の要求を満たす最適な蓄電装置１を顧客に提案する。
【０１１１】
パターン生成装置５が行うパターンデータの生成では、蓄電システム６の充電量及び放電量、パワーコンディショナ６１の変換効率、電力線Ｗの伝送効率、トランス６０の変換効率及び充電又は放電が行われる期間が考慮される。このため、パターン生成装置５は、使用環境における充放電量の推移をより適正に模擬した充放電量の推移を示すパターンデータを生成することができる。
充放電の受付画面では、未確定期間の動作についても、複数種類の動作から動作を選択すればよいので、パターンデータの生成が更に容易である。
【０１１２】
開示された本実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１１３】
１  蓄電装置
４  寿命予測装置（予測システムの一部）
５  パターン生成装置（予測システムの一部）
６  蓄電システム
４１  操作部（構成受付部）
４３  制御部（予測部）
５０  表示部（画面表示部、推移表示部）
５１  操作部（選択受付部、第２の選択受付部、電力受付部、効率受付部、第２の効率受付部、第３の効率受付部、期間受付部）
５３  制御部（生成部）
６０  トランス
６１  パワーコンディショナ（変換器）
Ｐ２  コンピュータプログラム
Ｗ  電力線
【図１】
2020195264.tif 000003
【図２】
2020195264.tif 000004
【図３】
2020195264.tif 000005
【図４】
2020195264.tif 000006
【図５】
2020195264.tif 000007
【図６】
2020195264.tif 000008
【図７】
2020195264.tif 000009
【図８】
2020195264.tif 000010
【図９】
2020195264.tif 000011
【図１０】
2020195264.tif 000012
【図１１】
2020195264.tif 000013
【図１２】
2020195264.tif 000014
【図１３】
2020195264.tif 000015
【図１４】
2020195264.tif 000016
【図１５】
2020195264.tif 000017
【手続補正書】
【提出日】令和2年5月18日(2020.5.18)
【手続補正１】
【補正対象書類名】明細書
【補正対象項目名】全文
【補正方法】変更
【補正の内容】
【発明の詳細な説明】
【技術分野】
【０００１】
本発明は、生成装置、予測システム、生成方法及びコンピュータプログラムに関する。
【背景技術】
【０００２】
太陽電池、風力発電機等の発電機によって充電され、必要に応じて放電する蓄電装置を備える蓄電システムが普及している。蓄電装置は複数の蓄電素子（蓄電セル）を有する。蓄電装置の容量（満充電容量）は、充放電の繰り返し（充放電サイクル）、並びに、時間の経過とともに低下する。蓄電装置の容量が劣化する速度は、ＳＯＣ（State Of Charge）、即ち、蓄電装置に蓄えられている電力の電力量に応じて変化する。
【０００３】
特許文献１は、充放電の繰り返し及び時間の経過とともに低下する蓄電装置の容量を予測する技術を開示している。特許文献１では、ＳＯＣの推移に基づいて蓄電装置の容量の低下を予測する。
【先行技術文献】
【特許文献】
【０００４】
【特許文献１】特開２０１８−１６９３９３号公報
【発明の概要】
【発明が解決しようとする課題】
【０００５】
蓄電装置の製造業者は、顧客の要求に基づいて、最適と思われる蓄電装置（蓄電システム）を顧客に提案するために以下のことを行う。
（１）製造業者は、蓄電セルの直列数、並列数等の蓄電装置の構成を決定する。
（２）製造業者は、想定される使用環境で、決定した構成の蓄電装置が顧客要求を満足できる期間（寿命）についてシミュレーション（予測）を行う。
製造業者は、決定及びシミュレーションの試行錯誤を繰り返し、最適と思われる蓄電装置を顧客に提案する。シミュレーションを行うためには、使用環境における充放電量の推移を適正に模擬した充放電パターンデータ（以下、単に「パターンデータ」という）が必要である。従来、製造業者は、顧客から提示される大まかな情報、又は類似する蓄電システムにおける運用情報に基づき、１日、１カ月等の所定期間内における蓄電装置の充放電量の推移を示すパターンデータを作成していた。
【０００６】
精度が高いシミュレーションを行って顧客に最適な蓄電装置を提案するためには、パターンデータが、蓄電システムが実際に運用される時の充放電量の推移を適正に模擬している必要がある。パターンデータは、蓄電装置の構成の決定及び寿命の予測に用いられる重要なデータである。
【０００７】
実際の充放電と比較して、蓄電装置を過剰に充放電させるように設定されたパターンデータに基づいてシミュレーションを行った場合、顧客の要求を満たす最適な蓄電装置と比較して、構成が過剰で、価格が高い蓄電装置を提案することとなる。実際の充放電と比較して、蓄電装置を過小に充放電させるように設定されたパターンデータに基づいてシミュレーションを行った場合、顧客の要求を満たす最適な蓄電装置と比較して、構成が過小で、価格が低い蓄電装置を提案することになる。
蓄電装置の構成が過剰で、価格が高い場合、製造業者が事業機会を逸する（失注する）可能性が高い。蓄電装置の構成が過小で、価格が低い場合、蓄電システム納入後に、シミュレーションの予想よりも早い段階で顧客の要求を満たせなくなる可能性が高い。
【０００８】
以上のことから、製造業者は、使用環境における充放電量の推移を適正に模擬したパターンデータを生成することが必要である。
【０００９】
本発明は、使用環境における充放電量の推移を適正に模擬したパターンデータを生成する生成装置、生成方法及びコンピュータプログラムと、生成装置を備える予測システムとを提供することを目的とする。
【課題を解決するための手段】
【００１０】
生成装置は、蓄電装置を有する蓄電システムの充放電に関する選択及び入力の少なくとも一方を受け付けるための受付画面を表示する画面表示部と、前記受付画面にて、前記充放電に関する複数種類の動作からの選択を受け付ける選択受付部と、前記選択受付部を通じて選択された動作に基づいて、前記蓄電装置の劣化の予測に用いられ、所定期間内における前記蓄電装置の充放電量の推移を示すパターンデータを生成する生成部とを備える。
【００１１】
予測システムは、前述した生成装置と、前記蓄電装置の構成を受け付ける構成受付部と、前記生成装置が生成したパターンデータ、及び、前記構成受付部が受け付けた構成に基づいて、前記蓄電装置の劣化を予測する予測部とを備える。
【００１２】
生成方法は、蓄電装置を有する蓄電システムの充放電に関する選択及び入力の少なくとも一方を受け付けるための受付画面を表示し、前記受付画面にて、前記充放電に関する複数種類の動作から選択された動作を示す動作データを取得し、取得した動作データに基づいて、前記蓄電装置の劣化の予測に用いられ、所定期間内における前記蓄電装置の充放電量の推移を示すパターンデータを生成する。
【００１３】
コンピュータプログラムは、コンピュータに、蓄電装置を有する蓄電システムの充放電に関する選択及び入力の少なくとも一方を受け付けるための受付画面を表示させ、前記受付画面にて、前記充放電に関する複数種類の動作から選択された動作を示す動作データを取得し、取得した動作データに基づいて、前記蓄電装置の劣化の予測に用いられ、所定期間内における前記蓄電装置の充放電量の推移を示すパターンデータを生成する処理を実行させる。
【発明の効果】
【００１４】
上記の態様によれば、使用環境における充放電量の推移を適正に模擬したパターンデータを生成できる。
【図面の簡単な説明】
【００１５】
【図１】蓄電装置の構成を示すブロック図である。
【図２】寿命予測装置の構成を示すブロック図である。
【図３】寿命予測処理の手順を示すフローチャートである。
【図４】構成内容の受付画面の概略図である。
【図５】充放電量の推移を示すグラフである。
【図６】パターンデータの内容を示す図表である。
【図７】蓄電システムの第１モデルの説明図である。
【図８】蓄電システムの第２モデルの説明図である。
【図９】蓄電システムの第３モデルの説明図である。
【図１０】パターン生成装置の構成を示すブロック図である。
【図１１】パターン生成処理の手順を示すフローチャートである。
【図１２】充放電の受付画面の概略図である。
【図１３】複数種類の動作の表示の説明図である。
【図１４】パターン生成装置及び寿命予測装置の使用例の説明図である。
【図１５】パターン生成装置の効果の説明図である。
【発明を実施するための形態】
【００１６】
生成装置は、蓄電装置を有する蓄電システムの充放電に関する選択及び入力の少なくとも一方を受け付けるための受付画面を表示する画面表示部と、前記受付画面にて、前記充放電に関する複数種類の動作からの選択を受け付ける選択受付部と、前記選択受付部を通じて選択された動作に基づいて、前記蓄電装置の劣化の予測に用いられ、所定期間内における前記蓄電装置の充放電量の推移を示すパターンデータを生成する生成部とを備える。
【００１７】
受付画面において複数種類の動作から動作を選択することによって、パターンデータが生成されるので、パターンデータの生成が容易であり、パターンデータを短時間で生成できる。蓄電装置（蓄電システム）の製造業者は、パターンデータが示す充放電量の推移を迅速に顧客に提示できる。顧客が充放電量の推移を確認し、パターンデータが使用環境における充放電量の推移を適正に模擬していない場合、製造業者は、受付画面において選択及び／又は入力する内容を変更し、パターンデータを再度生成する。製造業者は、生成したパターンデータが示す充放電量の推移を再び顧客に提示する。パターンデータを短時間で生成できるので、この一連の行為を短時間で繰り返すことができる。結果、製造業者は、顧客との商談の場で、使用環境における充放電量の推移を適正に模擬したパターンデータを生成して、パターンデータについて顧客と合意できる。顧客と合意したパターンデータは、蓄電装置の劣化の予測（例えば、蓄電装置の容量が所定値に低下するまでの期間、即ち、寿命の予測）に用いられる。
【００１８】
前記複数種類の動作には、充電のみが行われる動作、放電のみが行われる動作、及び充電と放電が１回ずつ連続的に行われる動作の少なくとも２つが含まれてもよい。
これらの基本的な動作が選択可能であるので、必要に応じて２つ以上の動作を組み合わせることによって、種々のパターンデータを短時間で生成できる。
【００１９】
生成装置は、前記選択受付部を通じて選択された動作について、前記受付画面にて充電量及び放電量の両方又は一方の入力を受け付ける電力受付部を備えてもよい。前記生成部が前記パターンデータの生成にて用いる要素に、前記電力受付部を通じて入力された入力内容が更に含まれてもよい。
使用者は、選択した動作が、例えば、充電及び放電の両方を行う動作であるとき、充電量及び放電量の両方を入力する。使用者は、選択した動作が、例えば、充電のみを行う動作である場合、充電量を入力する。パターンデータの生成において、充電量及び放電量の両方又は一方の入力内容も用いられる。このため、使用環境における充放電量の推移をより適正に模擬したパターンデータが生成される。
【００２０】
生成装置は、前記受付画面にて前記蓄電システムの電力線の伝送効率の入力を受け付ける第１の効率受付部を備えてもよい。前記生成部が前記パターンデータの生成にて用いる要素に、前記第１の効率受付部を通じて入力された伝送効率が更に含まれてもよい。
パターンデータの生成において、電力線の伝送効率も用いられるので、使用環境における充放電量の推移をより適正に模擬したパターンデータが生成される。
【００２１】
前記蓄電システムは、外部から入力された電圧を、前記蓄電装置の充電に適した直流電圧に変換するとともに、前記蓄電装置から入力された直流電圧を、外部への出力に適した電圧に変換する変換器を有してもよく、生成装置は、前記受付画面にて前記変換器の変換効率の入力を受け付ける第２の効率受付部を備えてもよい。前記生成部が前記パターンデータの生成にて用いる要素に、前記第２の効率受付部を通じて入力された変換効率が更に含まれてもよい。
パターンデータの生成において、変換器の変換効率も用いられる。このため、使用環境における充放電量の推移をより適正に模擬したパターンデータが生成される。
【００２２】
前記蓄電システムは、外部から入力された交流電圧の振幅を変換し、振幅が変換された交流電圧を前記変換器に出力するトランスを有してもよく、生成装置は、前記受付画面にて前記トランスの変換効率の入力を受け付ける第３の効率受付部を備えてもよい。前記生成部が前記パターンデータの生成にて用いる要素に、前記第３の効率受付部を通じて入力された変換効率が更に含まれてもよい。
パターンデータの生成において、トランスの変換効率も用いられるので、使用環境における充放電量の推移をより適正に模擬したパターンデータが生成される。
【００２３】
生成装置は、前記選択受付部を通じて選択された動作について、前記受付画面にて充電又は放電が行われる期間の入力を受け付ける期間受付部を備えてもよい。前記生成部が前記パターンデータの生成にて用いる要素に、前記期間受付部を通じて入力された入力内容が更に含まれてもよい。
パターンデータの生成において、充電又は放電が行われる期間が用いられるので、使用環境における充放電量の推移をより適正に模擬したパターンデータが生成される。
【００２４】
生成装置は、前記期間受付部を通じて入力された期間の合計が前記所定期間未満である場合、前記受付画面にて、前記所定期間の残りの期間に実行される動作に関する複数種類の第２の動作からの１つの動作の選択を受け付ける第２の選択受付部を備えてもよい。前記生成部が前記パターンデータの生成にて用いる要素に、前記第２の選択受付部を通じて選択された動作が更に含まれてもよい。前記複数種類の第２の動作それぞれは、前記複数種類の動作とは異なってもよい。
使用者は、設定期間の残りの期間に実行させる動作についても、複数種類の第２の動作から選択すればよい。このため、パターンデータの生成が更に容易である。
【００２５】
前記画面表示部は、前記受付画面にて、前記複数種類の動作を表示してもよい。
複数種類の動作が表示されるので、使用者は、パターンデータの生成において、選択することが可能な動作を容易に把握できる。
【００２６】
生成装置は、前記生成部が生成したパターンデータが示す前記充放電量の推移を表示する推移表示部を備えてもよい。
パターンデータが示す充放電量の推移が表示されるので、使用者は、充放電量の推移を直感的に把握できる。
【００２７】
予測システムは、前述した生成装置と、前記蓄電装置の構成を受け付ける構成受付部と、前記生成装置が生成したパターンデータ、及び、前記構成受付部が受け付けた構成に基づいて、前記蓄電装置の劣化を予測する予測部とを備える。
【００２８】
前記予測部は、前記蓄電装置の劣化の予測として、前記蓄電装置の容量が所定値に低下するまでの期間を予測してもよい。
【００２９】
生成方法は、蓄電装置を有する蓄電システムの充放電に関する選択及び入力の少なくとも一方を受け付けるための受付画面を表示し、前記受付画面にて、前記充放電に関する複数種類の動作から選択された動作を示す動作データを取得し、取得した動作データに基づいて、前記蓄電装置の劣化の予測に用いられ、所定期間内における前記蓄電装置の充放電量の推移を示すパターンデータを生成する。
使用者は、受付画面において複数種類の動作から動作を選択することによって、パターンデータを生成できる。パターンデータの生成が容易であり、パターンデータを短時間で生成できる。このため、前述したように、使用環境における充放電量の推移を適正に模擬したパターンデータを生成できる。
【００３０】
コンピュータプログラムは、コンピュータに、蓄電装置を有する蓄電システムの充放電に関する選択及び入力の少なくとも一方を受け付けるための受付画面を表示させ、前記受付画面にて、前記充放電に関する複数種類の動作から選択された動作を示す動作データを取得し、取得した動作データに基づいて、前記蓄電装置の劣化の予測に用いられ、所定期間内における前記蓄電装置の充放電量の推移を示すパターンデータを生成する処理を実行させる。
【００３１】
以下、本発明をその実施の形態を示す図面に基づいて詳述する。
図１は、蓄電装置１の構成を示すブロック図である。蓄電装置１は電力線Ｗの一端に接続されている。
【００３２】
蓄電装置１は、並列に接続されたＫ（Ｋ：自然数）個のバンク１０を備える。各バンク１０の一端は、電力線Ｗの一端に接続されている。各バンク１０の他端は接地されている。各バンク１０は、直列に接続されたＭ（Ｍ：自然数）個の蓄電モジュール２０を有する。各蓄電モジュール２０は、直列に接続されたＮ（Ｎ：自然数）個の蓄電素子３０を有する。蓄電素子３０は所謂蓄電セルである。蓄電素子３０は、例えば、リチウムイオン電池である。
【００３３】
電力線Ｗを介して供給された電力は、各バンク１０が有する複数の蓄電素子３０に供給され、各蓄電素子３０は充電される。これにより、蓄電モジュール２０及びバンク１０は充電される。各蓄電素子３０は、電力線Ｗを介して電力を放出する。これにより、蓄電モジュール２０及びバンク１０は、電力線Ｗを介して電力を放出する。
【００３４】
各バンク１０は、複数の蓄電モジュール２０に加えて充放電回路２１を有する。充放電回路２１を介して各蓄電素子３０に電力が供給される。各蓄電素子３０は、充放電回路２１を介して電力を放出する。
【００３５】
充放電回路２１は、例えば、スイッチ又はブレーカを有する。充放電回路２１は、スイッチ又はブレーカを、オン又はオフに切替えることによって、複数の蓄電モジュール２０への充電の停止、複数の蓄電モジュール２０からの放電の停止、充電停止の解除及び放電停止の解除を行う。
【００３６】
図２は寿命予測装置４の構成を示すブロック図である。寿命予測装置４は、パーソナルコンピュータ、タブレット等であり、蓄電装置１の劣化の予測として、蓄電装置１の寿命、即ち、蓄電装置１について使用を開始してから容量（満充電容量）が所定値に低下するまでの期間を予測する装置である。蓄電装置１の容量について、劣化の度合いを示す指標としてＳＯＨ(State Of Health)がある。ＳＯＨは、使用を開始した時点の蓄電装置１の容量を１００％とした場合における蓄電装置１の容量の比率である。ＳＯＨの単位はパーセントである。寿命は、例えば、ＳＯＨが７０％に低下するまでの期間である。
【００３７】
寿命予測装置４は、表示部４０、操作部４１、記憶部４２及び制御部４３を有する。これらは内部バス４４に接続されている。表示部４０は、制御部４３の指示に従って、種々の画面を表示する。操作部４１は、タッチパネル、キーボード、マウス等を有する。操作部４１は、寿命予測装置４の使用者によって操作され、使用者から種々の入力を受け付ける。
【００３８】
記憶部４２は不揮発性メモリである。記憶部４２には、コンピュータプログラムＰ１が記憶されている。制御部４３は、処理素子、例えばＣＰＵ(Central Processing Unit)を有する。制御部４３の処理素子（コンピュータ）は、コンピュータプログラムＰ１を実行することによって、蓄電装置１の寿命を予測する寿命予測処理を実行する。制御部４３が有する処理素子の数は２以上であってもよい。この場合、複数の処理素子がコンピュータプログラムＰ１に従って、寿命予測処理を含む種々の処理を協同で実行してもよい。
【００３９】
コンピュータプログラムＰ１は、コンピュータプログラムＰ１を読み取り可能に記録した非一時的な記録媒体Ａ１を用いて、寿命予測装置４に提供されてもよい。記録媒体Ａ１は、例えば可搬型メモリである。可搬型メモリの例として、ＣＤ−ＲＯＭ、ＵＳＢ（Universal Serial Bus）メモリ、ＳＤカード、マイクロＳＤカード、コンパクトフラッシュ（登録商標）等が挙げられる。記録媒体Ａ１が可搬型メモリである場合、制御部４３の処理素子は、図示しない読取装置を用いて記録媒体Ａ１からコンピュータプログラムＰ１を読み取り、読み取ったコンピュータプログラムＰ１を記憶部４２に書き込んでもよい。寿命予測装置４が外部装置と通信する図示しない通信部を備える場合、コンピュータプログラムＰ１は、通信部を介した通信によって、寿命予測装置４に提供されてもよい。この場合、制御部４３の処理素子は、通信部を通じてコンピュータプログラムＰ１を取得し、取得したコンピュータプログラムＰ１を記憶部４２に書き込んでもよい。
【００４０】
記憶部４２には、予め設定されている設定期間内における蓄電装置１の充放電量の推移を示す充放電パターンデータ（以下、単に「パターンデータ」という）を含むパターンファイルＦが記憶されている。設定期間は、１日、１週間、１カ月、１年等である。後述するように、蓄電装置１のパターンファイルＦはパターン生成装置５によって生成される。寿命予測装置４の制御部４３は、パターン生成装置５からパターンファイルＦを取得し、取得したパターンファイルＦを記憶部４２に書き込む。寿命予測装置４及びパターン生成装置５を含むシステムは予測システムに相当する。
【００４１】
制御部４３は、種々の方法でパターンファイルＦを取得する。寿命予測装置４は、パターン生成装置５が送信したパターンファイルＦを有線又は無線で受信する通信部を有してもよい。寿命予測装置４は、可搬型メモリからデータを読み取る読み取り部を有してもよく、可搬型メモリから、パターン生成装置５が生成したパターンファイルＦを取得してもよい。
【００４２】
図３は寿命予測処理の手順を示すフローチャートである。寿命予測装置４の使用者は、操作部４１を操作することによって、寿命予測処理の実行を指示する。制御部４３は、操作部４１が寿命予測処理の実行指示を受け付けた場合において、記憶部４２にパターンファイルＦが記憶されているとき、寿命予測処理を実行する。寿命予測処理において、まず制御部４３は、表示部４０に指示して、蓄電装置１の構成内容を受け付けるための受付画面を表示させる（ステップＳ１）。
【００４３】
図４は構成内容の受付画面の概略図である。図４に示すように、蓄電装置１の構成内容は、バンク１０の数、各バンク１０が有する蓄電モジュール２０の数、各蓄電モジュール２０が有する蓄電素子３０の数、各蓄電素子３０の容量等を含む。バンク１０の数は並列数に相当する。蓄電モジュール２０の数、及び蓄電素子３０の数はそれぞれ、直列数に相当する。寿命予測装置４の使用者は、構成内容の受付画面において、操作部４１を操作することによって、蓄電装置１の構成内容、具体的には、バンク１０の数、蓄電モジュール２０の数、蓄電素子３０の数、各蓄電素子３０の容量等を入力する。操作部４１は、使用者が入力した蓄電装置１の構成内容を受け付ける。操作部４１は構成受付部として機能する。使用者は、構成内容の受付画面において、操作部４１を操作することによって、「ＯＫ」が示されたボタンをクリックする。これにより、構成内容の受け付けが完了する。構成内容の受け付けが完了した場合、制御部４３は、操作部４１が受け付けた構成内容を示す構成データを取得する。
【００４４】
構成内容の項目中の少なくとも１つは、数値を入力する項目の代わりに、複数の数値から１つの数値を選択する項目であってもよい。この場合、操作部４１は、使用者が入力した蓄電装置１の構成内容を受け付けるとともに、使用者が選択した蓄電装置１の構成内容を受け付ける。構成内容の受け付けが完了した場合、制御部４３は、構成内容を示す構成データを取得する。構成内容の選択又は入力を受け付ける項目の数は、１以上であればよく、４に限定されない。構成内容の選択又は入力を受け付ける項目として、例えば、蓄電素子の種類が含まれてもよい。蓄電素子の種類として、例えば、リチウムイオン電池が挙げられる。
【００４５】
制御部４３は、ステップＳ１を実行した後、構成内容の受け付けが完了したか否かを判定する（ステップＳ２）。制御部４３は、構成内容の受け付けが完了していないと判定した場合（Ｓ２：ＮＯ）、ステップＳ２を再び実行し、構成内容の受け付けが完了するまで待機する。制御部４３は、構成内容の受け付けが完了したと判定した場合（Ｓ２：ＹＥＳ）、記憶部４２からパターンファイルＦを読み出す（ステップＳ３）。前述したように、パターンファイルＦには、設定期間内における蓄電装置１の充放電量の推移を示すパターンデータが含まれている。
【００４６】
図５は充放電量の推移を示すグラフである。図５において、横軸には時間が示されており、時間の単位は秒である。縦軸には、充放電量が示されており、充放電量の単位はワットである。充放電量が正である場合、充電が行われていることを示す。充電量は、蓄電装置１に供給される電力であり、充放電量の絶対値で表される。充放電量が負である場合、放電が行われていることを示す。放電量は、蓄電装置１から放出される電力であり、充放電量の絶対値である。設定期間内において、充放電量は、図５に示すように推移するとして、蓄電装置１の寿命が予測される。
【００４７】
図６はパターンデータの内容を示す図表である。図６に示すように、パターンデータでは、所定時間、例えば、１秒の間隔で刻まれた複数の時点それぞれにおける充放電量が示されている。設定期間が１日（８６４００秒）である場合、１秒から８６４００秒までの期間に対応する充放電量が示される。
【００４８】
次に制御部４３は、図３に示すように、ステップＳ３で読み出したパターンファイルＦに含まれるパターンデータに基づいて、蓄電装置１のＳＯＣの推移を示すＳＯＣデータを生成する（ステップＳ４）。
【００４９】
制御部４３は、設定期間内における蓄電装置１の充放電量の推移を示すパターンデータに基づいて、充放電量の推移を予測する。例えば、設定期間が１日である場合、制御部４３は、パターンデータに基づいて、毎日の充放電量の推移を予測する。
【００５０】
制御部４３は、予測した充放電量の推移に基づいて、例えば、蓄電装置１の使用を開始してから算出時点までの期間における充電量及び放電量の総量を算出する。制御部４３は、充電量の総量から放電量の総量を減算することによって算出時点におけるＳＯＣを算出する。制御部４３は、算出時点を、所定時間、例えば、１秒の間隔で刻まれた複数の時点それぞれに変更することによって、各時点におけるＳＯＣを算出し、ＳＯＣの推移を示すＳＯＣデータを生成する。
【００５１】
次に制御部４３は、ステップＳ４で生成したＳＯＣデータと、操作部４１が受け付けた構成内容に基づいて、蓄電装置１の劣化の予測として、蓄電装置１の寿命を予測する（ステップＳ５）。前述したように、寿命は、使用を開始してから、蓄電装置１の容量が所定値に低下するまでの期間であり、例えば、ＳＯＨが７０％に低下するまでの期間である。寿命の予測は劣化の予測の一例である。制御部４３は予測部として機能する。
【００５２】
ＳＯＣデータに基づく蓄電装置１の寿命の予測については、公知の技術、例えば、特開２０１８−１６９３９３号公報に記載されている技術を用いて実現することが可能である。特開２０１８−１６９３９３号公報では、ＳＯＣデータに基づいて、蓄電素子の劣化（蓄電素子の容量の低下）を推定する構成が開示されている。特開２０１８−１６９３８３号公報に記載されている技術を用いて、所定間隔、例えば１秒の間隔で刻まれた複数の時点それぞれにおけるＳＯＨを算出し、寿命、例えば、ＳＯＨが７０％に低下する期間を予測する。
次に制御部４３は、表示部４０に指示して、ステップＳ５で予測した寿命を表示させ（ステップＳ６）、寿命予測処理を終了する。
【００５３】
寿命予測装置４の使用者は、寿命予測処理を繰り返し実行し、蓄電装置１の構成内容として種々の構成内容を選択又は入力する。これにより、使用者は、蓄電装置１の発注を予定している顧客の要求を満たす最適な蓄電装置１の構成内容を探る。寿命予測装置４の使用者、例えば、蓄電装置１の製造業者は、構成内容が最適である蓄電装置１を顧客に提案する。
【００５４】
次にパターン生成装置５が行うパターンファイルＦの生成を説明する。蓄電装置１を有する蓄電システムのモデルとして、以下に示す第１モデル、第２モデル及び第３モデルが想定されている。
【００５５】
図７は蓄電システム６の第１モデルの説明図である。第１モデルでは、蓄電システム６は、発電機７及び電力系統間の接続ノードに接続されている。発電機７は、例えば、風力発電機であり、交流電力を発生させる。発電機７は、発生させた交流電力を蓄電システム６及び電力系統に供給する。電力系統は、例えば、工場、家庭等の建物に接続されている。電力系統を介して建物に交流電力が供給される。発電機７が交流電力を蓄電システム６に供給することによって、蓄電システム６が充電される。蓄電システム６は、例えば、発電機７が発電を停止した場合、交流電力を電力系統に放出する。
【００５６】
蓄電システム６は、蓄電装置１に加えて、トランス６０、パワーコンディショナ６１及び２つの電力線Ｗ，Ｗを有する。トランス６０は、発電機７及び電力系統間の接続ノードに接続されている。トランス６０は、電力線Ｗを介してパワーコンディショナ６１に接続されている。パワーコンディショナ６１は、電力線Ｗを介して蓄電装置１に接続されている。
【００５７】
トランス６０は、発電機７が発生した交流電力に係る交流電圧の振幅を変換し、振幅が変換された交流電圧を、電力線Ｗを介してパワーコンディショナ６１に出力する。パワーコンディショナ６１は、トランス６０から入力された交流電圧を、蓄電装置１の充電に適した直流電圧に変換し、変換した直流電圧に係る直流電力を、電力線Ｗを介して蓄電装置１に供給する。これにより、蓄電装置１が充電される。
【００５８】
蓄電装置１は、例えば、発電機７が発電を停止した場合、直流電力を、電力線Ｗを介してパワーコンディショナ６１に供給する。パワーコンディショナ６１は、蓄電装置１から入力された直流電圧を、トランス６０への出力に適した交流電圧に変換し、変換した交流電圧を、電力線Ｗを介してトランス６０に出力する。トランス６０は、パワーコンディショナ６１から入力された交流電圧の振幅を変換し、振幅が変換された交流電圧に係る交流電力を電力系統に供給する。蓄電システム６では、電力線Ｗを介して電力が伝送される。パワーコンディショナ６１は変換器として機能する。
【００５９】
図７に示すように、蓄電装置１及び蓄電システム６それぞれへの充電量をＰｓ１及びＰｃ１と記載する。蓄電装置１及び蓄電システム６それぞれからの放電量をＰｓ２及びＰｃ２と記載する。前述したように、充電量は、蓄電装置１又は蓄電システム６に供給される電力である。放電量は、蓄電装置１又は蓄電システム６から放出される電力である。トランス６０及びパワーコンディショナ６１それぞれの変換効率をＥｔ及びＥｃと記載する。２つの電力線Ｗ，Ｗ全体の伝送効率をＥｗと記載する。変換効率Ｅｔ，Ｅｃ及び伝送効率Ｅｗそれぞれは、ゼロを超えており、かつ、１以下である値で表される。
【００６０】
蓄電装置１への充電量Ｐｃ１は下記の（１）式で表される。蓄電装置１からの放電量Ｐｃ２は下記の（２）式で表される。「・」は積を表す。
Ｐｃ１＝Ｐｓ１・Ｅｔ・Ｅｃ・Ｅｗ    （１）
Ｐｃ２＝Ｐｓ２／（Ｅｔ・Ｅｃ・Ｅｗ）    （２）
【００６１】
蓄電装置１の製造業者は、蓄電システム６の充放電量の推移、トランス６０及びパワーコンディショナ６１の変換効率、並びに、電力線Ｗの伝送効率を、例えば顧客から提示してもらう。製造業者は、充放電量の推移、変換効率及び伝送効率と、（１）式及び（２）式とを用いて、設定期間内における蓄電装置１の充放電量の推移を示すパターンデータを作成する。
蓄電システム６の充放電量は、蓄電装置１の充放電量と同様に定義される。充放電量が正である場合、蓄電システム６への充電が行われていることを示す。充電量は、蓄電システム６に供給される電力であり、充放電量の絶対値で表される。充放電量が負である場合、放電が行われていることを示す。放電量は、蓄電システム６から放出される電力であり、充放電量の絶対値である。
【００６２】
図８は蓄電システム６の第２モデルの説明図である。蓄電システム６は、発電機７及び電力系統間の接続ノードに接続されている。蓄電システム６は、蓄電装置１、パワーコンディショナ６１及び電力線Ｗを有する。パワーコンディショナ６１は、発電機７及び電力系統間の接続ノードに接続されている。パワーコンディショナ６１は、電力線Ｗを介して蓄電装置１に接続されている。
【００６３】
蓄電システム６において、蓄電装置１は第１モデルと同様に作用する。パワーコンディショナ６１は、発電機７から入力された交流電圧を、蓄電装置１の充電に適した直流電圧に変換し、変換した直流電圧に係る直流電力を、電力線Ｗを介して蓄電装置１に供給する。パワーコンディショナ６１は、蓄電装置１から入力された直流電圧を、電力系統への出力に適した交流電圧に変換し、変換し交流電圧に係る交流電力を電力系統に供給する。
【００６４】
蓄電装置１への充電量Ｐｃ１は下記の（３）式で表される。蓄電装置１からの放電量Ｐｃ２は下記の（４）式で表される。
Ｐｃ１＝Ｐｓ１・Ｅｃ・Ｅｗ    （３）
Ｐｃ２＝Ｐｓ２／（Ｅｃ・Ｅｗ）    （４）
（３）式は、（１）式において、トランス６０の変換効率Ｅｔに１を代入することによって得られる式である。（４）式は、（２）式において、トランス６０の変換効率Ｅｔに１を代入することによって得られる式である。
【００６５】
蓄電装置１の製造業者は、蓄電システム６の充放電量の推移、パワーコンディショナ６１の変換効率、及び、電力線Ｗの伝送効率を、例えば顧客から提示してもらう。製造業者は、充放電量の推移、変換効率及び伝送効率と、（３）式及び（４）式とを用いて、設定期間内における蓄電装置１の充放電量の推移を示すパターンデータを作成する。
【００６６】
図９は蓄電システム６の第３モデルの説明図である。蓄電システム６は、第２モデルと同様に、蓄電装置１、パワーコンディショナ６１及び電力線Ｗを有する。パワーコンディショナ６１は、発電機７及び電力系統に各別に接続されている。パワーコンディショナ６１は、電力線Ｗを介して蓄電装置１に接続されている。
【００６７】
発電機７は、直流又は交流の電力を発生させ、発生させた直流又は交流の電力をパワーコンディショナ６１に供給する。パワーコンディショナ６１は、発電機７から供給された電力に係る電圧を、周波数及び振幅が電力系統に適合している交流電圧に変換し、変換した交流電圧に係る交流電力を電力系統に供給する。パワーコンディショナ６１は、発電機７から入力された電圧を、蓄電装置１の充電に適した直流電圧に変換し、変換した直流電圧に係る直流電力を蓄電装置１に供給する。
【００６８】
蓄電装置１は、第１モデル及び第２モデルと同様に作用する。パワーコンディショナ６１は、蓄電装置１から入力された直流電圧を、電力系統への出力に適した交流電圧に変換し、変換した交流電圧に係る交流電力を電力系統に供給する。
【００６９】
第２モデルと同様に、蓄電装置１への充電量Ｐｃ１は（３）式で表され、蓄電装置１からの放電量Ｐｃ２は（４）式で表される。前述したように、（３）式及び（４）式それぞれは、（１）式及び（２）式において、トランス６０の変換効率Ｅｔに１を代入することによって得られる。
【００７０】
蓄電装置１の製造業者は、蓄電システム６の充放電量の推移、パワーコンディショナ６１の変換効率、及び、電力線Ｗの伝送効率を、例えば顧客から提示してもらう。製造業者は、充放電量の推移、変換効率及び伝送効率と、（３）式及び（４）式とを用いて、設定期間内における蓄電装置１の充放電量の推移を示すパターンデータを作成する。
【００７１】
図１０はパターン生成装置５の構成を示すブロック図である。パターン生成装置５は、パーソナルコンピュータ、タブレット等であり、前述したように、パターンデータを含むパターンファイルＦを生成する。パターン生成装置５は、表示部５０、操作部５１、記憶部５２及び制御部５３を有する。これらは内部バス５４に接続されている。
【００７２】
表示部５０は、制御部５３の指示に従って、種々の画面を表示する。操作部５１は、タッチパネル、キーボード、マウス等を有する。操作部５１は、パターン生成装置５の使用者によって操作され、使用者から種々の入力を受け付ける。
【００７３】
記憶部５２は不揮発性メモリである。記憶部５２には、コンピュータプログラムＰ２が記憶されている。制御部５３は、処理素子、例えばＣＰＵを有する。制御部５３の処理素子（コンピュータ）は、コンピュータプログラムＰ２を実行することによって、パターンファイルＦを生成するパターン生成処理を実行する。制御部５３が有する処理素子の数は２以上であってもよい。この場合、複数の処理素子がコンピュータプログラムＰ２に従って、パターン生成処理を含む種々の処理を協同で実行してもよい。
【００７４】
コンピュータプログラムＰ２は、コンピュータプログラムＰ２を読み取り可能に記録した非一時的な記録媒体Ａ２を用いて、パターン生成装置５に提供されてもよい。記録媒体Ａ２は、例えば可搬型メモリである。この場合、制御部５３の処理素子は、図示しない読取装置を用いて記録媒体Ａ２からコンピュータプログラムＰ２を読み取り、読み取ったコンピュータプログラムＰ２を記憶部５２に書き込んでもよい。更に、パターン生成装置５が外部装置と通信する図示しない通信部を備える場合、コンピュータプログラムＰ２は、通信部を介した通信によって、パターン生成装置５に提供されてもよい。この場合、制御部５３の処理素子は、通信部を通じてコンピュータプログラムＰ２を取得し、取得したコンピュータプログラムＰ２を記憶部５２に書き込んでもよい。
【００７５】
図１１はパターン生成処理の手順を示すフローチャートである。パターン生成装置５の使用者は、操作部５１を操作することによって、パターン生成処理の実行を指示する。制御部５３は、操作部５１がパターン生成処理の実行指示を受け付けた場合、パターン生成処理を実行する。パターン生成処理において、まず、制御部５３は、表示部５０に指示して、蓄電システム６の充放電に関する選択及び入力を受け付けるための受付画面を表示させる（ステップＳ１１）。表示部５０は画面表示部として機能する。
【００７６】
図１２は、充放電の受付画面の概略図である。パターン生成装置５の使用者は、充放電の受付画面において、操作部４１を操作することによって、種々の選択及び入力を行う。図１２に示すように、まず使用者は、設定期間を決定する。使用者が、設定期間の三角ボタンをクリックした場合、設定期間について、予め設定されている複数の候補期間が表示される。複数の候補期間は、例えば、１日、１週間、１カ月及び１年である。使用者は、複数の候補期間から１つを選択する。図１２の例では、設定期間として１日が選択されている。
【００７７】
次に使用者は、充放電の受付画面において、蓄電システム６の充放電に関する複数種類の動作から一又は複数種類の動作を選択する。複数種類の動作は予め設定されている。使用者は、充放電の受付画面において、動作を示す欄の三角ボタンをクリックする。これにより、表示部５０は、蓄電システム６の充放電に関する複数種類の動作を表示する。
【００７８】
図１３は、複数種類の動作の表示の説明図である。図１３に示すように、動作の三角ボタンをクリックすることによって、表示部５０は複数種類の動作を表示する。図１３の例では、３種類の動作が示されている。「充電→放電」は、蓄電システム６への充電を行った後に蓄電システム６が放電する動作である。「充電→放電」では、充電及び放電が１回ずつ連続的に行われる。「充電（一定）」は、充電量が一定である充電のみを行う動作である。「放電（一定）」は、放電量が一定である放電のみを行う動作である。
【００７９】
使用者は、表示されている複数種類の動作から１つの動作を選択する。操作部５１は、充放電の受付画面において、蓄電システム６の充放電に関する複数種類の動作からの選択を受け付ける。操作部５１は、選択受付部として機能する。
以上のように、複数種類の動作が図１３に示すように表示されるので、パターン生成装置５の使用者は、パターンデータの生成において、選択することが可能な動作を容易に把握できる。
【００８０】
図１３では、三角ボタンをクリックすることによって表示される３種類の動作に、「充電→放電」、「充電（一定）」及び「放電（一定）」とは異なる動作が含まれてもよい。例えば、３種類の動作に、蓄電システム６が放電した後に蓄電システム６への充電を行う動作、充電量が一定の傾きで上昇若しくは低下する充電のみを行う動作、又は、放電量が一定の傾きで上昇若しくは低下する放電のみを行う動作が含まれてもよい。
三角ボタンをクリックすることによって表示される種類の数は、３に代えて、２又は４以上であってもよい。
【００８１】
図１２及び図１３に示すように、使用者は、設定期間内に実行する動作として、複数種類の動作を選択できる。例えば、使用者は、Ｎｏ．１の動作として「充電（一定）」を選択し、Ｎｏ．２の動作として「放電（一定）」を選択できる。設定期間内では、Ｎｏ．１の動作から順次実行する。
【００８２】
次に使用者は、操作部５１を操作することによって、選択した動作について、蓄電システム６の電力、即ち、充電量及び放電量の両方又は一方を入力する。操作部５１は、充放電の受付画面において、充電量及び放電量の両方又は一方の入力を受け付ける。図１２の例では、「充電→放電」が選択されているので、使用者は、蓄電システム６の電力として、入力欄の左側に充電量を入力し、入力欄の右側に放電量を入力する。図１３の例では、「充電（一定）」が選択されているので、使用者は、蓄電システム６の電力として、充電量を入力する。操作部５１は電力受付部としても機能する。
【００８３】
次に使用者は、操作部５１を操作することによって、選択した動作について、充放電の受付画面において、充電又は放電が行われる期間を入力する。操作部５１は、充放電の受付画面において、充電又は放電が行われる期間の入力を受け付ける。図１２の例では、「充電→放電」が選択されているので、使用者は、入力欄の左側に、充電が行われる期間を入力し、入力欄の右側に、放電が行われる期間を入力する。図１３の例では、「充電（一定）」が選択されているので、使用者は、放電が行われる期間を入力する。操作部５１は、期間受付部としても機能する。
【００８４】
次に使用者は、操作部５１を操作することによって、選択した動作の繰り返し回数を入力する。操作部５１は、繰り返し回数の入力を受け付ける。図１２の例では、「充電→放電」が選択され、繰り返し回数として８が入力されている。このため、充電を行った後に放電を行う動作が連続して８回実行される。選択した動作を繰り返さない場合、使用者は、繰り返し回数として１を入力すればよい。図１３の例では、「充電（一定）」が選択され、繰り返し回数として１が入力されている。このため、充電量が一定である充電が連続して繰り返されることはない。
以上のように、一覧表において、動作の選択、並びに、蓄電システム６の電力、期間及び繰り返し回数の入力が行われる。
【００８５】
図１２及び図１３に示すように、充放電の受付画面では、設定期間、動作が確定した確定期間、及び、動作が未確定である未確定期間が示されている。確定期間は、一覧表において、操作部５１を通じて入力された期間の合計である。未確定期間は、設定期間の残りの期間であり、設定期間から確定期間を減算することによって算出される。設定期間は、設定期間について選択された内容に従って更新される。確定期間及び未確定期間は、一覧表の選択及び入力の内容に従って更新される。
【００８６】
次に使用者は、未確定期間が存在する場合、即ち、未確定期間がゼロを超えている場合、未確定期間の動作について、充放電の受付画面において、一覧表に示した一又は複数の動作を繰り返すか否かを選択する。使用者は、充放電の受付画面において、一覧表の動作の繰り返しに対応する三角ボタンをクリックする。これにより、選択の項目として有効及び無効が表示される。使用者は、有効及び無効から１つを選択する。操作部４１は、充放電の受付画面において、一覧表に示した一又は複数の動作を繰り返すか否かの選択を受け付ける。
【００８７】
未確定期間が存在する場合において、無効が選択されたとき、一覧表に示した一又は複数の動作は繰り返されず、使用者は、未確定期間の動作を決定する必要がある。未確定期間が存在する場合において、有効が選択されたとき、一覧表に示した一又は複数の動作は繰り返される。これにより、未確定期間の動作が確定する。
【００８８】
未確定期間が存在する場合において、無効が選択されているとき、使用者は、操作部５１を操作することによって、未確定期間の動作に関する複数種類の動作から１つの動作を選択する。複数種類の動作は予め設定されている。使用者は、充放電の受付画面において、未確定期間の動作に対応する三角ボタンをクリックする。これにより、複数種類の動作が表示される。使用者は、表示された複数の動作から１つの動作を選択する。操作部５１は、充放電の受付画面において、未確定期間の動作に関する複数種類の動作からの１つの動作の選択を受け付ける。複数種類の動作の例として、定電流定電圧充電、充放電なし等が挙げられる。未確定期間の動作として選択することが可能な複数の動作それぞれは、一覧表の動作に関して選択される複数の動作とは異なる。操作部５１は第２の選択受付部としても機能する。
【００８９】
定電流定電圧充電は以下のように行われる充電である。蓄電装置１の端子電圧、即ち、電力線Ｗが接続される端子の電圧が低い場合に一定の電流を蓄電装置１に供給する。蓄電装置１の端子電圧が高い場合、一定の電圧を蓄電装置１の端子に印加する。これにより、蓄電装置１を充電する。
充放電なしは、蓄電装置１の充放電量がゼロであることを意味する。
【００９０】
次に使用者は、蓄電システム６について、第１モデルから第３モデルの中で１つのモデルを選択する。使用者は、選択したモデルについて、パワーコンディショナ６１の変換効率、トランス６０の変換効率及び電力線Ｗの伝送効率を入力する。前述したように、これらは、ゼロを超えており、かつ、１以下である値である。操作部５１は、充放電の受付画面において、パワーコンディショナ６１の変換効率、トランス６０の変換効率及び電力線Ｗの伝送効率の入力を受け付ける。操作部５１を通じて入力された２つの変換効率及び伝送効率に基づいて、蓄電装置１に係る充電量Ｐｃ１及び放電量Ｐｃ２が算出される。操作部５１は、第１の効率受付部、第２の効率受付部及び第３の効率受付部としても機能する。
【００９１】
使用者が第２モデル又は第３モデルを選択した場合、即ち、蓄電システム６にトランス６０が含まれていない場合、使用者は、トランス６０の変換効率として１を入力すればよい。これにより、（１）式及び（２）式において、変換効率Ｅｔに１が代入され、充電量Ｐｃ１及び放電量Ｐｃ２を算出する式が（３）式及び（４）式に変換される。
第１モデルを選択した場合において、使用者が操作部５１を通じて入力する電力線Ｗの伝送効率は、２つの電力線Ｗ，Ｗ全体の伝送効率である。
【００９２】
制御部５３は、充放電の受付画面において、操作部５１を通じて選択された内容、及び、操作部５１を通じて入力された内容の両方を示す充放電データを操作部５１から取得する。充放電データが示す内容には、充放電の受付画面の一覧表において、充放電に関する複数種類の動作から選択された動作が含まれ、充放電データは動作データに相当する。
【００９３】
使用者は、操作部５１を操作することによって、充放電の受付画面において、「パターンデータの生成」と記載されたボタンをクリックする。これにより、操作部５１は、パターンデータの生成指示を受け付ける。使用者は、充放電の受付画面において、「パターンファイルの生成」と記載されたボタンをクリックする。これにより、操作部５１は、パターンファイルＦの生成指示を受け付ける。使用者は、充放電の受付画面において、「リセット」と記載されたボタンをクリックする。これにより、操作部５１は、充放電の受付画面の内容のリセットを指示するリセット指示を受け付ける。
【００９４】
パターン生成装置５の使用者は、操作部５１を操作することによって、パターン生成処理の終了を指示する。操作部５１は、パターン生成処理の終了指示を受け付ける。使用者は、例えば、操作部５１を操作し、充放電の受付画面の右上のボタンをクリックすることによって、パターン生成処理の終了を指示する。
【００９５】
図１１に示すように、制御部５３は、ステップＳ１１を実行した後、操作部５１がパターンデータの生成指示を受け付けたか否かを判定する（ステップＳ１２）。制御部５３は、操作部５１がパターンデータの生成指示を受け付けたと判定した場合（Ｓ１２：ＹＥＳ）、操作部５１から取得した充放電データに基づいて、図６に示すようなパターンデータを生成する（ステップＳ１３）。前述したように、充放電データは、操作部５１を通じて、充放電の受付画面において選択及び入力された内容を示す。制御部５３は生成部として機能する。パターン生成装置５の制御部５３が生成したパターンデータを含むパターンファイルＦは、寿命予測装置４において蓄電装置１の寿命の予測に用いられる。
【００９６】
前述したように、蓄電システム６の電力は充電量又は放電量を示す。蓄電装置１の充放電量の絶対値は、蓄電システム６の電力、パワーコンディショナ６１の変換効率、トランス６０の変換効率及び電力線Ｗの伝送効率を（１）式又は（２）式に代入することによって算出される。充電量の算出には（１）式が用いられる。放電量の算出には（２）式が用いられる。
【００９７】
次に制御部５３は、表示部５０に指示して、ステップＳ１３で生成したパターンデータに対応する充放電量の推移を示すグラフを表示させる（ステップＳ１４）。充放電量の推移を示すグラフの一例として、図５に示すグラフが挙げられる。
このように、表示部５０は、制御部５３が生成したパターンデータに対応する充放電量の推移を表示するので、パターン生成装置５の使用者は充放電量の推移を直感的に把握できる。表示部５０は推移表示部としても機能する。
【００９８】
制御部５３は、操作部５１がパターンデータの生成指示を受け付けていないと判定した場合（Ｓ１２：ＮＯ）又はステップＳ１４を実行した後、操作部５１がパターンファイルＦの生成指示を受け付けたか否かを判定する（ステップＳ１５）。
パターンデータが生成されていない場合、操作部５１はパターンファイルＦの生成指示を受け付けることはない。
【００９９】
制御部５３は、操作部５１がパターンファイルＦの生成指示を受け付けたと判定した場合（Ｓ１５：ＹＥＳ）、ステップＳ１３で生成した直近のパターンデータを含むパターンファイルＦを生成する（ステップＳ１６）。次に制御部５３は、ステップＳ１６で生成したパターンファイルＦを記憶部５２に書き込む（ステップＳ１７）。制御部５３は、操作部５１がパターンファイルＦの生成指示を受け付けていないと判定した場合（Ｓ１５：ＮＯ）、又は、ステップＳ１７を実行した後、操作部５１が充放電の受付画面の内容のリセット指示を受け付けたか否かを判定する（ステップＳ１８）。
【０１００】
制御部５３は、操作部５１がリセット指示を受け付けたと判定した場合（Ｓ１８：ＹＥＳ）、充放電の受付画面の内容をリセットする（ステップＳ１９）。これにより、例えば、充放電の受付画面において選択又は入力されている内容は以下のように変更される。設定期間、一覧表の動作の繰り返し及び未確定期間の動作は、予め設定されている初期内容に変更される。一覧表の入力内容はなくなる。パワーコンディショナ６１の変換効率、トランス６０の変換効率及び電力線Ｗの伝送効率は、予め設定されている初期値、例えば、１に変更される。
【０１０１】
制御部５３は、操作部５１がリセット指示を受け付けていないと判定した場合（Ｓ１８：ＮＯ）、又は、ステップＳ１９を実行した後、操作部５１がパターン生成処理の終了指示を受け付けたか否かを判定する（ステップＳ２０）。制御部５３は、操作部５１がパターン生成処理の終了指示を受け付けていないと判定した場合（Ｓ２０：ＮＯ）、ステップＳ１２を実行し、操作部５１が終了指示を受け付けるまで待機する。制御部５３は、操作部５１がパターン生成処理の終了指示を受け付けたと判定した場合（Ｓ２０：ＹＥＳ）、パターン生成処理を終了する。
【０１０２】
以上のように、パターン生成装置５において、製造業者は、蓄電システム６の充放電の受付画面において、複数種類の動作から動作を選択することによって、パターンデータが生成される。従って、パターンデータの生成が容易であり、パターンデータを短時間で生成できる。
【０１０３】
パターン生成装置５の構成は、設定期間内に実行する動作、即ち、図１２及び図１３に示す一覧表において選択する動作として、充電のみが行われる動作、放電のみが行われる動作及び充電と放電が１回ずつ連続的に行われる動作の少なくとも２つを使用者が選択する構成であってもよい。この場合、これらの基本的な動作が選択可能であるので、必要に応じて、２つ以上の動作を組み合わせることによって、種々のパターンデータを短時間で生成できる。
【０１０４】
図１４は、パターン生成装置５及び寿命予測装置４の使用例の説明図である。パターン生成装置５は可搬型の装置であると仮定する。蓄電装置１の製造業者は、例えば、パターン生成装置５を持って顧客を訪問する。製造業者は、最初に、蓄電システム６の充放電に関する内容を顧客から聞き、図１２及び図１３に示す充放電の受付画面において蓄電システム６の充放電に関する選択及び入力を行う。製造業者は、パターン生成装置５に充放電量の推移のグラフを表示させ、このグラフを顧客に迅速に提示する。
【０１０５】
顧客がグラフを確認し、パターンデータが使用環境における充放電量の推移を適正に模擬していない場合、製造業者はその場で、蓄電システム６の充放電の受付画面の内容を変更し、変更した内容が反映された充放電量の推移を示すパターンデータを生成する。製造業者は、生成したパターンデータが示す充放電量の推移のグラフを再び顧客に提示する。パターンデータを短時間で生成できるので、この一連の行為を短時間で繰り返すことができる。
【０１０６】
図１５は、パターン生成装置５の効果の説明図である。図１５には、従来において作成される充放電量の推移が細い実線で示されている。使用環境における充放電量の推移が太い実線で示されている。２つの推移が重なる部分は太い実線で示されている。従来、製造業者は、顧客から、大まかな情報、又は発注が予定されている蓄電システムに類似する蓄電システムにおける運用情報を提示してもらった後、自社に戻り、大まかな情報又は運用情報に基づいて、設定期間内における蓄電装置の充放電量の推移を示すパターンデータを作成する。
【０１０７】
図１５の上側に示すように、製造業者は、実際の使用環境における充放電と比較して蓄電装置を過剰に充放電させるように設定されたパターンデータを作成する可能性がある。このパターンデータを含むパターンファイルＦに基づいて蓄電装置１の構成内容を決定した場合、顧客の要求を満たす最適な蓄電装置と比較して、構成が過剰で、価格が高い蓄電装置１を提案することとなる。この場合、製造業者が事業機会を逸する（失注する）可能性が高い。
【０１０８】
図１５の下側に示すように、製造業者は、実際の使用環境における充放電と比較して蓄電装置を過少に充放電させるように設定されたパターンデータを作成する可能性がある。このパターンデータを含むパターンファイルＦに基づいて蓄電装置１の構成内容を決定した場合、顧客の要求を満たす最適な蓄電装置と比較して、構成が過少で、価格が低い蓄電装置１を提案することとなる。この場合、蓄電装置１を備える蓄電システム６を納入した後、寿命予測に基づく予想よりも早い段階で顧客の要求を満たせなくなる可能性が高い。
【０１０９】
パターン生成装置５を用いる場合、製造業者は、前述したように、充放電の受付画面において蓄電システム６の充放電に関する選択及び入力から充放電量の推移の提示までの一連の行為を短時間が繰り返すことができる。結果、製造業者は、顧客との商談の場で、使用環境における充放電量の推移を適正に模擬した充放電量の推移、即ち、図１５において実線で示される充放電量の推移を示すパターンデータを含むパターンファイルＦを生成でき、パターンデータについて顧客と合意できる。
【０１１０】
図１４に示すように、製造業者は、パターン生成装置５を用いてパターンファイルＦを生成した後、自社に戻り、生成したパターンファイルＦに含まれるパターンデータに基づいて、例えば、寿命について顧客の要求を満たす蓄電装置１の種々の構成内容を考える。製造業者は、パターン生成装置５が生成したパターンファイルＦを、寿命予測装置４の記憶部４２に記憶させる。製造業者は、寿命予測装置４において、操作部４１を操作することによって、寿命予測処理の実行を指示する。製造業者は、生成したパターンファイルＦに含まれるパターンデータに基づいて、構成内容が異なる種々の蓄電装置１の寿命を寿命予測装置４に予測させる。これにより、製造業者は、寿命について顧客の要求を満たす蓄電装置１の構成内容を探ることができる。
最後に、製造業者は、顧客の要求を満たす最適な蓄電装置１を顧客に提案する。
【０１１１】
パターン生成装置５が行うパターンデータの生成では、蓄電システム６の充電量及び放電量、パワーコンディショナ６１の変換効率、電力線Ｗの伝送効率、トランス６０の変換効率及び充電又は放電が行われる期間が考慮される。このため、パターン生成装置５は、使用環境における充放電量の推移をより適正に模擬したパターンデータを生成できる。
充放電の受付画面では、未確定期間の動作についても、複数種類の動作から動作を選択すればよいので、パターンデータの生成が更に容易である。
【０１１２】
開示された本実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１１３】
１  蓄電装置
４  寿命予測装置（予測システムの一部）
５  パターン生成装置（予測システムの一部）
６  蓄電システム
４１  操作部（構成受付部）
４３  制御部（予測部）
５０  表示部（画面表示部、推移表示部）
５１  操作部（選択受付部、第２の選択受付部、電力受付部、第１の効率受付部、第２の効率
受付部、第３の効率受付部、期間受付部）
５３  制御部（生成部）
６０  トランス
６１  パワーコンディショナ（変換器）
Ｐ２  コンピュータプログラム
Ｗ  電力線
【手続補正２】
【補正対象書類名】特許請求の範囲
【補正対象項目名】全文
【補正方法】変更
【補正の内容】
【特許請求の範囲】
【請求項１】
蓄電装置を有する蓄電システムの充放電に関する選択及び入力の少なくとも一方を受け付けるための受付画面を表示する画面表示部と、
前記受付画面にて、前記充放電に関する複数種類の動作からの選択を受け付ける選択受付部と、
前記選択受付部を通じて選択された動作に基づいて、前記蓄電装置の劣化の予測に用いられ、所定期間内における前記蓄電装置の充放電量の推移を示すパターンデータを生成する生成部と
を備える生成装置。
【請求項２】
前記複数種類の動作には、充電のみが行われる動作、放電のみが行われる動作、及び充電と放電が１回ずつ連続的に行われる動作の少なくとも２つが含まれる
請求項１に記載の生成装置。
【請求項３】
前記選択受付部を通じて選択された動作について、前記受付画面にて充電量及び放電量の両方又は一方の入力を受け付ける電力受付部を備える
請求項１又は請求項２に記載の生成装置。
【請求項４】
前記蓄電システムは電力線を有し、
前記受付画面にて前記電力線の伝送効率の入力を受け付ける第１の効率受付部を備える
請求項１から請求項３のいずれか１つに記載の生成装置。
【請求項５】
前記蓄電システムは、外部から入力された電圧を、前記蓄電装置の充電に適した直流電圧に変換するとともに、前記蓄電装置から入力された直流電圧を、外部への出力に適した電圧に変換する変換器を有し、
前記受付画面にて前記変換器の変換効率の入力を受け付ける第２の効率受付部を備える  請求項１から請求項４のいずれか１つに記載の生成装置。
【請求項６】
前記蓄電システムは、外部から入力された交流電圧の振幅を変換し、振幅が変換された交流電圧を前記変換器に出力するトランスを有し、
前記受付画面にて前記トランスの変換効率の入力を受け付ける第３の効率受付部を備える
請求項５に記載の生成装置。
【請求項７】
請求項１から請求項６のいずれか１つに記載の生成装置と、
前記蓄電装置の構成を受け付ける構成受付部と、
前記生成装置が生成したパターンデータ、及び、前記構成受付部が受け付けた構成に基づいて、前記蓄電装置の劣化を予測する予測部と
を備える予測システム。
【請求項８】
蓄電装置を有する蓄電システムの充放電に関する選択及び入力の少なくとも一方を受け付けるための受付画面を表示し、
前記受付画面にて、前記充放電に関する複数種類の動作から選択された動作を示す動作データを取得し、
取得した動作データに基づいて、前記蓄電装置の劣化の予測に用いられ、所定期間内における前記蓄電装置の充放電量の推移を示すパターンデータを生成する
生成方法。
【請求項９】
コンピュータに、
蓄電装置を有する蓄電システムの充放電に関する選択及び入力の少なくとも一方を受け付けるための受付画面を表示させ、
前記受付画面にて、前記充放電に関する複数種類の動作から選択された動作を示す動作データを取得し、
取得した動作データに基づいて、前記蓄電装置の劣化の予測に用いられ、所定期間内における前記蓄電装置の充放電量の推移を示すパターンデータを生成する
処理を実行させるためのコンピュータプログラム。
【手続補正４】
【補正対象書類名】図面
【補正対象項目名】図１１
【補正方法】変更
【補正の内容】
【図１１】
2020195264.tif 000018